(57)【要約】      （修正有）【課題】空調及び冷凍用途を含む熱交換システムにおける使用のための冷媒組成物、冷媒Ｒ−４１０Ａの代替品としての前記組成物の使用、並びにＲ−４１０Ａとの使用のために設計されたシステムを含む熱交換システムの追加導入の提供。【解決手段】４２重量％〜４８重量％のジフルオロメタン（ＨＦＣ−３２）、６．５重量％〜１２．５重量％のペンタフルオロエタン（ＨＦＣ−１２５）、及び３９．５重量％〜４５重量％のトリフルオロヨードメタン（ＣＦ３Ｉ）からなる冷媒組成物。【選択図】図１
2020143292.tif 000002
【特許請求の範囲】
【請求項１】
少なくとも約９７重量％の３種の化合物のブレンドを含む冷媒であって、前記ブレンドが、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなり、
前記パーセンテージが、前記ブレンド中の前記３種の化合物の総重量に基づく、冷媒。
【請求項２】
前記ブレンドが、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）からなり、
前記パーセンテージが、前記ブレンド中の前記３種の化合物の総重量に基づく、請求項１に記載の冷媒。
【請求項３】
前記ブレンドが、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなり、
前記パーセンテージが、前記ブレンド中の前記３種の化合物の総重量に基づく、請求項１又は２に記載の冷媒。
【請求項４】
少なくとも約９７重量％の３種の化合物のブレンドを含む冷媒であって、前記ブレンドが、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
前記パーセンテージが、前記ブレンド中の前記３種の化合物の総重量に基づく、冷媒。
【請求項５】
前記ブレンドが、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなり、
前記パーセンテージが、前記ブレンド中の前記３種の化合物の総重量に基づく、請求項４に記載の冷媒。
【請求項６】
前記ブレンドが、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなり、
前記パーセンテージが、前記ブレンド中の前記３種の化合物の総重量に基づく、請求項４又は５に記載の冷媒。
【請求項７】
前記冷媒が、少なくとも約９８．５重量％の前記ブレンドを含む、請求項１〜６のいずれか一項に記載の冷媒。
【請求項８】
前記冷媒が、少なくとも約９９．５重量％の前記ブレンドを含む、請求項１〜６のいずれか一項に記載の冷媒。
【請求項９】
前記冷媒が、前記ブレンドから本質的になる、請求項１〜６のいずれか一項に記載の冷媒。
【請求項１０】
前記冷媒が、前記ブレンドからなる、請求項１〜６のいずれか一項に記載の冷媒。
【請求項１１】
請求項１〜１０のいずれか一項に記載の冷媒を含む、熱伝達組成物。
【請求項１２】
前記冷媒が、前記熱伝達組成物の４０重量％超を構成する、請求項１１に記載の熱伝達組成物。
【請求項１３】
ジエン系化合物、又はジエン系化合物及びリン化合物、並びに／又は窒素化合物、並びに／又フェノール化合物から選択される安定化剤を更に含む、請求項１１又は１２に記載の熱伝達組成物。
【請求項１４】
前記ジエン系化合物が、テレベン、レチナール、ゲラニオール、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１からなる群から選択されるテルペン、好ましくは、ファルネセンである、請求項１３に記載の熱伝達組成物。
【請求項１５】
前記ジエン系化合物が、約〜約０．００１重量％〜約５重量％、好ましくは約０．０１重量％〜約２重量％、より好ましくは約０．１〜１重量％の量で前記熱伝達組成物中に提供される、請求項１３又は１４に記載の熱伝達組成物。
【請求項１６】
前記安定化剤組成物が、請求項１４又は１５に記載のジエン系、及びリン化合物を含み、前記リン化合物が、ジアリールホスファイト、ジアルキルホスファイト、トリアリールホスファイト、及び／若しくはトリアルキルホスファイトから選択される亜リン酸化合物、特に、ヒンダードホスファイト、トリス−（ジ−ｔｅｒｔ−ブチルフェニル）ホスファイト、ジ−ｎ−オクチルホスファイト、イソ−デシルジフェニルホスファイト、及びジフェニルホスファイトから選択される１種以上の化合物、特にジフェニルホスファイト、並びに／又はトリアリールホスフェート、トリアルキルホスフェート、アルキルモノ酸ホスフェート、アリール二酸ホスフェート、アミンホスフェートから選択されるリン酸化合物、好ましくはトリアリールホスフェート及び／若しくはトリアルキルホスフェート、特にトリ−ｎ−ブチルホスフェートである、請求項１３に記載の熱伝達組成物。
【請求項１７】
前記リン化合物が、ヒンダードホスファイト、トリス−（ジ−ｔｅｒｔ−ブチルフェニル）ホスファイト、ジ−ｎ−オクチルホスファイト、イソ−デシルジフェニルホスファイト、及びジフェニルホスファイトからなる群から選択される亜リン酸化合物である、請求項１６に記載の熱伝達組成物。
【請求項１８】
前記リン化合物が、約０．００１重量％〜約５重量％、好ましくは約０．００１重量％〜約２重量％、より好ましくは約０．１〜１重量％の量で前記熱伝達組成物中に存在する、請求項１３〜１７のいずれか一項に記載の熱伝達組成物。
【請求項１９】
前記安定化剤組成物が、ファルネセン及びジフェニルホスファイトを含む、請求項１３〜１８のいずれか一項に記載の熱伝達組成物。
【請求項２０】
前記窒素化合物が、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される１種以上の化合物、好ましくはジニトロベンゼンである、請求項１３〜１９のいずれか一項に記載の熱伝達組成物。
【請求項２１】
前記窒素化合物が、ジニトロベンゼン、ニトロベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；アルキルジフェニルアミン、例えば、ビス（ノニルフェニルアミン）、ジアルキルアミン、例えば、（Ｎ−（１−メチルエチル）−２−プロピルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくはフェニル−アルファ−ナフチルアミン（ＰＡＮＡ）から選択される１種以上の化合物である、請求項１３〜１９のいずれか一項に記載の熱伝達組成物。
【請求項２２】
前記窒素化合物が、約０．００１重量％〜約５重量％、好ましくは約０．０１重量％〜約２重量％、より好ましくは約０．１〜１重量％の量で前記熱伝達組成物中に提供される、請求項１３〜２１のいずれか一項に記載の熱伝達組成物。
【請求項２３】
前記フェノール化合物が、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択される１種以上の化合物、好ましくはＢＨＴである、請求項１３〜２２のいずれか一項に記載の熱伝達組成物。
【請求項２４】
請求項１〜１０のいずれか一項に記載の冷媒と安定化剤組成物とを含む熱伝達組成物であって、前記安定化剤組成物が、前記熱伝達組成物の約０．００１重量％〜約５重量％の量のＢＨＴを含む、熱伝達組成物。
【請求項２５】
請求項１〜１０のいずれか一項に記載の冷媒と安定化剤組成物とを含む熱伝達組成物であって、前記安定化剤組成物が、約０．００１重量％〜約５重量％の量のＢＨＴからなる、熱伝達組成物。
【請求項２６】
前記フェノール化合物が、約０．００１重量％〜約５重量％、好ましくは約０．０１重量％〜約２重量％、より好ましくは約０．１〜１重量％の量で前記熱伝達組成物中に提供される、請求項１３〜２５のいずれか一項に記載の熱伝達組成物。
【請求項２７】
請求項１〜１０のいずれか一項に記載の冷媒と安定化剤組成物とを含む熱伝達組成物であって、前記安定化剤組成物が、ファルネセン、ジフェニルホスファイト、及びＢＨＴを含む、熱伝達組成物。
【請求項２８】
請求項１〜１０のいずれか一項に記載の冷媒と安定化剤組成物とを含む熱伝達組成物であって、前記安定化剤組成物が、ファルネセン、ジフェニルホスファイト、及びＢＨＴからなる、熱伝達組成物。
【請求項２９】
ポリオールエステル（ＰＯＥ）、ポリアルキレングリコール（ＰＡＧ）、ＰＡＧ油、シリコーン油、鉱物油、アルキルベンゼン（ＡＢ）、ポリビニルエーテル（ＰＶＥ）、及びポリ（アルファ−オレフィン）（ＰＡＯ）からなる群から選択される潤滑剤を更に含む、請求項１１〜２８のいずれか一項に記載の熱伝達組成物。
【請求項３０】
前記潤滑剤が、ポリオールエステル（ＰＯＥ）、ポリアルキレングリコール（ＰＡＧ）、鉱物油、アルキルベンゼン（ＡＢ）、及びポリビニルエーテル（ＰＶＥ）から選択される、請求項２９に記載の熱伝達組成物。
【請求項３１】
前記潤滑剤が、ポリオールエステル（ＰＯＥ）、鉱物油、アルキルベンゼン（ＡＢ）、及びポリビニルエーテル（ＰＶＥ）から選択される、請求項２９に記載の熱伝達組成物。
【請求項３２】
前記潤滑剤が、ポリオールエステル（ＰＯＥ）、鉱物油、及びアルキルベンゼン（ＡＢ）から選択される、請求項２９に記載の熱伝達組成物。
【請求項３３】
前記潤滑剤が、ポリオールエステル（ＰＯＥ）である、請求項２９に記載の熱伝達組成物。
【請求項３４】
前記潤滑剤が、前記熱伝達組成物の重量に基づいて約１０〜約６０重量％の量、好ましくは約３０〜約５０重量％の量で前記熱伝達組成物中に存在する、請求項２９〜３３のいずれか一項に記載の熱伝達組成物。
【請求項３５】
前記熱伝達組成物が、請求項１〜１０のいずれか一項に記載の冷媒から本質的になる、請求項１１に記載の熱伝達組成物。
【請求項３６】
前記熱伝達組成物が、請求項１〜１０のいずれか一項に記載の冷媒と、請求項１３〜２８のいずれか一項に記載の安定化剤と、から本質的になる、請求項１１〜３５のいずれか一項に記載の熱伝達組成物。
【請求項３７】
前記熱伝達組成物が、請求項１〜１０のいずれか一項に記載の冷媒と、請求項１３〜２８のいずれか一項に記載の安定化剤と、請求項２９〜３４のいずれか一項に記載の潤滑剤と、から本質的になる、請求項１１〜３５のいずれか一項に記載の熱伝達組成物。
【請求項３８】
７５０以下の地球温暖化係数（ＧＷＰ）を有する、請求項１１〜３７のいずれか一項に記載の熱伝達組成物。
【請求項３９】
０．０５以下、好ましくは０．０２、より好ましくは約ゼロのオゾン破壊係数（ＯＤＰ）を有する、請求項１１〜３８のいずれか一項に記載の熱伝達組成物。
【請求項４０】
前記ＰＯＥ潤滑剤が、冷媒及び潤滑剤の総量に対して５重量％の量で存在し、前記混合物が、−４０℃〜８０℃の範囲の少なくとも１つの温度の１つの液体相を有する、請求項１１〜３４及び３７〜３９のいずれか一項に記載の熱伝達組成物。
【請求項４１】
前記ＰＯＥ潤滑剤が、冷媒及び潤滑剤の総量に対して２０重量％の量で存在し、前記混合物が、−４０℃〜８０℃の範囲の少なくとも１つの温度の１つの液体相を有する、請求項１１〜３４及び３７〜３９のいずれか一項に記載の熱伝達組成物。
【請求項４２】
前記ＰＯＥ潤滑剤が、冷媒及び潤滑剤の総量に対して５０重量％の量で存在し、前記混合物が、−４０℃〜８０℃の範囲の少なくとも１つの温度の１つの液体相を有する、請求項１１〜３４及び３７〜３９のいずれか一項に記載の熱伝達組成物。
【請求項４３】
前記ＰＯＥ潤滑剤が、冷媒及び潤滑剤の総量に対して５重量％の量で存在し、前記混合物が、−４０℃〜８０℃の全温度範囲にわたる１つの液体相を有する、請求項１１〜３４及び３７〜３９のいずれか一項に記載の熱伝達組成物。
【請求項４４】
前記ＰＯＥ潤滑剤が、冷媒及び潤滑剤の総量に対して２０重量％の量で存在し、前記混合物が、−４０℃〜８０℃の全温度範囲にわたる１つの液体相を有する、請求項１１〜３４及び３７〜３９のいずれか一項に記載の熱伝達組成物。
【請求項４５】
前記ＰＯＥ潤滑剤が、冷媒及び潤滑剤の総量に対して５０重量％の量で存在し、前記混合物が、−４０℃〜８０℃の全温度範囲にわたる１つの液体相を有する、請求項１１〜３４及び３７〜３９のいずれか一項に記載の熱伝達組成物。
【請求項４６】
前記ＰＯＥ潤滑剤が、冷媒及び潤滑剤の総量に対して５重量％の量で存在し、前記混合物が、−４０℃〜−２５℃及び／又は＋４０℃〜８０℃の範囲の少なくとも１つの温度の１つの液体相を有する、請求項１１〜３４及び３７〜３９のいずれか一項に記載の熱伝達組成物。
【請求項４７】
前記ＰＯＥ潤滑剤が、冷媒及び潤滑剤の総量に対して２０重量％の量で存在し、前記混合物が、−４０℃〜−２５℃及び／又は＋４０℃〜８０℃の範囲の少なくとも１つの温度の１つの液体相を有する、請求項１１〜３４及び３７〜３９のいずれか一項に記載の熱伝達組成物。
【請求項４８】
前記ＰＯＥ潤滑剤が、冷媒及び潤滑剤の総量に対して５０重量％の量で存在し、前記混合物が、−４０℃〜−２５℃及び／又は＋４０℃〜８０℃の範囲の少なくとも１つの温度の１つの液体相を有する、請求項１１〜３４及び３７〜３９のいずれか一項に記載の熱伝達組成物。
【請求項４９】
前記ＰＯＥ潤滑剤が、冷媒及び潤滑剤の総量に対して５重量％の量で存在し、前記混合物が、−４０℃〜−２５℃及び／又は＋４０℃〜８０℃の全温度範囲にわたる１つの液体相を有する、請求項１１〜３４及び３７〜３９のいずれか一項に記載の熱伝達組成物。
【請求項５０】
前記ＰＯＥ潤滑剤が、冷媒及び潤滑剤の総量に対して２０重量％の量で存在し、前記混合物が、−４０℃〜−２５℃及び／又は＋４０℃〜８０℃の全温度範囲にわたる１つの液体相を有する、請求項１１〜３４及び３７〜３９のいずれか一項に記載の熱伝達組成物。
【請求項５１】
前記ＰＯＥ潤滑剤が、冷媒及び潤滑剤の総量に対して５０重量％の量で存在し、前記混合物が、−４０℃〜−２５℃及び／又は＋４０℃〜８０℃の全温度範囲にわたる１つの液体相を有する、請求項１１〜３４及び３７〜３９のいずれか一項に記載の熱伝達組成物。
【請求項５２】
蒸発器、凝縮器、及び圧縮機を備える熱伝達システムにおける冷却方法であって、前記プロセスが、ｉ）請求項１１〜５１のいずれか一項に記載の熱伝達組成物を凝縮するステップと、ｉｉ）冷却される本体又は物品の付近で前記組成物を蒸発させるステップと、を含み、前記熱伝達システムの前記蒸発器温度は、約−４０℃〜約−１０℃の範囲内である、方法。
【請求項５３】
蒸発器、凝縮器、及び圧縮機を備える熱伝達システムにおける加熱方法であって、前記プロセスが、ｉ）加熱される本体又は物品の付近で、請求項１１〜５１のいずれか一項に記載の熱伝達組成物を凝縮するステップと、ｉｉ）前記組成物を蒸発させるステップと、を含み、前記熱伝達システムの前記蒸発器温度は、約−３０℃〜約５℃の範囲内である、方法。
【請求項５４】
前記熱伝達システムが、空調システムである、請求項５２又は５３に記載の方法。
【請求項５５】
前記空調システムが、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流（ＶＲＦ）システム、及び商用の空気熱源、水熱源、又は土壌熱源ヒートポンプシステムである、請求項５４に記載の方法。
【請求項５６】
前記空調システムが、住宅用空調システム（冷却のために約０〜約１０℃、特に約７℃、及び／又は加熱のために約−３０〜約５℃、特に約０．５℃の範囲の蒸発器温度を有する）、特に、往復動式、回転式（ローリングピストン若しくは回転弁）、又はスクロール式圧縮機を有する住宅用空調システムである、請求項５４に記載の方法。
【請求項５７】
前記空調システムが、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器である、請求項５４に記載の方法。
【請求項５８】
前記空調システムが、住宅用空気−水ヒートポンプ温水システム（約−２０〜約３℃の範囲、特に約０．５℃の蒸発器温度を有する）である、請求項５４に記載の方法。
【請求項５９】
前記空調システムが、住宅用空気−水ヒートポンプ温水システム（約−３０〜約５℃の範囲、特に約０．５℃の蒸発器温度を有する）である、請求項５４に記載の方法。
【請求項６０】
前記空調システムが、中温冷凍システム（約−１２〜約０℃の範囲、特に約−８℃の蒸発器温度を有する）である、請求項５４に記載の方法。
【請求項６１】
前記空調システムが、低温冷凍システム（約−４０〜約−１２℃の範囲、特に約−２３℃、又は好ましくは約−３２℃の蒸発器温度を有する）である、請求項５４に記載の方法。
【請求項６２】
前記空調システムが、住宅用空調システム（約０〜１０℃の範囲の蒸発器温度を有する）である、請求項５４に記載の方法。
【請求項６３】
前記空調システムが、住宅用ヒートポンプシステム（約−２０〜約３℃又は約−３０〜約５℃の範囲の蒸発器温度を有するである、請求項５４に記載の方法。
【請求項６４】
前記空調システムが、商用空調システム（約０〜約１０℃の範囲の蒸発器温度を有する）である、請求項５４に記載の方法。
【請求項６５】
熱伝達システム中に収容された既存の冷媒を交換する方法であって、前記既存の冷媒の少なくとも一部を前記システムから取り出すことであって、前記既存の冷媒がＲ−４１０Ａである、取り出すことと、請求項１〜８のいずれか一項に記載の冷媒又は１１〜５１のいずれか一項に記載の熱伝達組成物を前記システム内に導入することによって、前記既存の冷媒の少なくとも一部を置き換えることと、を含む、方法。
【請求項６６】
前記熱伝達システムが、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流システム、及び商用の空気熱源、水熱源、又は土壌熱源ヒートポンプシステムからなる群から選択される空調システムである、請求項６５に記載の方法。
【請求項６７】
熱伝達システムであって、流体連通した圧縮機、凝縮器、及び蒸発器と、請求項１１〜５１のいずれか一項に記載の熱伝達組成物とを前記システム中に含み、前記凝縮器が、約＋２０℃〜約＋７０℃の動作温度を有し、前記蒸発器が、約−４０℃〜約＋１０℃の動作温度を有する、熱伝達システム。
【請求項６８】
前記熱伝達システムが、空調システム、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流システム、及び商用の空気熱源、水熱源、又は土壌熱源ヒートポンプシステムである、請求項６７に記載の熱伝達システム。
【請求項６９】
前記熱伝達システムが、住宅用空調システム（冷却のために約０〜約１０℃の範囲、特に約７℃、及び／又は加熱のために約−３０〜約５℃の範囲、特に約０．５℃の蒸発器温度を有する）である、請求項６７又は６８に記載の熱伝達システム。
【請求項７０】
前記熱伝達システムが、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器である、請求項６７又は６８に記載の熱伝達システム。
【請求項７１】
前記熱伝達システムが、住宅用空気−水ヒートポンプ温水システム（約−２０〜約３℃の範囲、特に約０．５℃の蒸発器温度を有する）である、請求項６７又は６８に記載の熱伝達システム。
【請求項７２】
前記熱伝達システムが、住宅用空気−水ヒートポンプ温水システム（約−３０〜約５℃の範囲、特に約０．５℃の蒸発器温度を有する）である、請求項６７又は６８に記載の熱伝達システム。
【請求項７３】
前記熱伝達システムが、中温冷凍システム（約−１２〜約０℃の範囲、特に約−８℃の蒸発器温度を有する）である、請求項６７又は６８に記載の熱伝達システム。
【請求項７４】
前記熱伝達システムが、低温冷凍システム（約−４０〜約−１２℃の範囲、特に約−２３℃、又は好ましくは約−３２℃の蒸発器温度を有する）である、請求項６７又は６８に記載の熱伝達システム。
【請求項７５】
前記熱伝達システムが、住宅用空調システム（約０〜１０℃の範囲の蒸発器温度を有する）である、請求項６７又は６８に記載の熱伝達システム。
【請求項７６】
前記熱伝達システムが、住宅用ヒートポンプシステム（約−２０〜約３℃又は約−３０〜約５℃の範囲の蒸発器温度を有するである、請求項６７又は６８に記載の熱伝達システム。
【請求項７７】
前記熱伝達システムが、商用空調システム（約０〜約１０℃の範囲の蒸発器温度を有する）である、請求項６７又は６８に記載の熱伝達システム。
【請求項７８】
冷却器における、請求項１１〜５１のいずれか一項に記載の熱伝達組成物の使用。
【請求項７９】
容積型冷却器における、請求項１１〜５１のいずれか一項に記載の熱伝達組成物の使用。
【請求項８０】
空冷式冷却器における、請求項１１〜５１のいずれか一項に記載の熱伝達組成物の使用。
【請求項８１】
水冷直接膨張式冷却器における、請求項１１〜５１のいずれか一項に記載の熱伝達組成物の使用。
【請求項８２】
定置型冷却器における、請求項１１〜５１のいずれか一項に記載の熱伝達組成物の使用。
【請求項８３】
住宅用空調における、請求項１１〜５１のいずれか一項に記載の熱伝達組成物の使用。
【請求項８４】
産業用空調における、請求項１１〜５１のいずれか一項に記載の熱伝達組成物の使用。
【請求項８５】
商用空調における、請求項１１〜５１のいずれか一項に記載の熱伝達組成物の使用。
【請求項８６】
商用冷凍における、請求項１１〜５１のいずれか一項に記載の熱伝達組成物の使用。
【請求項８７】
商用冷蔵庫における、請求項１１〜５１のいずれか一項に記載の熱伝達組成物の使用。
【請求項８８】
商用冷凍庫における、請求項１１〜５１のいずれか一項に記載の熱伝達組成物の使用。
【請求項８９】
自動販売機における、請求項１１〜５１のいずれか一項に記載の熱伝達組成物の使用。
【請求項９０】
前記冷媒が、
（ａ）前記システム中の、及び／又は前記方法において使用されるＲ４１０Ａの効率の約９５％〜約１０５％の効率（ＣＯＰ）を有し、かつ
（ｂ）ＡＳＨＲＡＥ  Ｓｔａｎｄａｒｄ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に、不燃性である、請求項１〜９のいずれか一項に記載の冷媒。
【請求項９７】
前記冷媒が、
（ａ）前記システム中の、及び／又は前記方法において使用されるＲ４１０Ａの効率の約９５％〜約１０５％の効率（ＣＯＰ）を有し、
（ｂ）前記システム中の、及び／又は前記方法において使用されるＲ４１０Ａの能力の約９５％〜約１０５％の能力を有し、かつ
（ｃ）ＡＳＨＲＡＥ  Ｓｔａｎｄａｒｄ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に、不燃性である、請求項９０に記載の冷媒。
【請求項９２】
前記冷媒が、
（ａ）前記システム中の、及び／又は前記方法において使用されるＲ４１０Ａの効率の約９５％〜約１０５％の効率（ＣＯＰ）を有し、
（ｂ）前記システム中の、及び／又は前記方法において使用されるＲ４１０Ａの能力の約９５％〜約１０５％の能力を有し、かつ
（ｃ）ＡＳＨＲＡＥ  Ｓｔａｎｄａｒｄ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合、不燃性であり、
（ｄ）前記システム及び／又は前記方法において、Ｒ−４１０Ａの圧縮機吐出温度よりも１０℃以上高くない圧縮機吐出温度を生成し、かつ
（ｅ）前記システム及び／又は前記方法において、Ｒ−４１０Ａの圧縮機圧力比の約９５％〜約１０５％の圧縮機圧力比を生成する、請求項９０又は９１に記載の冷媒。
【発明の詳細な説明】
【技術分野】
【０００１】
関連出願の相互参照
本出願は、２０１６年７月２９日出願の米国仮出願第６２／３６８，５２１号、２０１７年５月５日出願の米国仮出願第６２／５０２，２３１号、及び２０１７年５月５日出願の米国仮出願第６２／５０２，１６５号の各々の優先権利益を主張する。
【０００２】
本発明は、空調及び冷凍用途を含む熱交換システムにおいて有益性を有する組成物、方法、及びシステムに関し、特定の態様では、冷媒Ｒ−４１０Ａが使用されたであろう種類の熱伝達システムにおいて加熱及び冷却用途のための冷媒Ｒ−４１０Ａの代替品として有用な組成物、並びにＲ−４１０Ａとの使用のために設計されたシステムを含む熱交換システムの追加導入に関する。
【背景技術】
【０００３】
産業用、商用、及び家庭用の使用について、機械冷凍システム、並びにヒートポンプ及び空調機などの関連する熱伝達デバイスが当該技術分野で周知である。クロロフルオロカーボン（ｃｈｌｏｒｏｆｌｕｏｒｏｃａｒｂｏｎ、ＣＦＣ）は、かかるシステムのための冷媒として１９３０年代に開発された。しかしながら、１９８０年代以降、成層圏オゾン層に対するＣＦＣの影響が多くの注目を集めるようになった。１９８７年には、ＣＦＣ製品の段階的削減のためのタイムテーブルを定めた、地球環境を保護するためのモントリオール議定書に多くの政府が署名した。水素を含有する、より環境的に許容される材料、すなわちヒドロクロロチアジフルオロカーボン（ｈｙｄｒｏｃｈｌｏｒｏｆｌｕｏｒｏｃａｒｂｏｎ、ＨＣＦＣ）がＣＦＣに取って代わった。
【０００４】
最も一般的に使用されたヒドロクロロフルオロカーボンの１つが、クロロジフルオロメタン（ＨＣＦＣ−２２）であった。しかしながら、モントリオール議定書のその後の改正は、ＣＦＣの段階的削減を加速させ、ＨＣＦＣ−２２を含むＨＣＦＣの段階的削減もスケジュールされた。
【０００５】
ＣＦＣ及びＨＣＦＣに代わる不燃性、非毒性の代替物の要求に応じて、業界では、オゾン破壊係数がゼロであるいくつかのヒドロフルオロカーボン（ｈｙｄｒｏｆｌｕｏｒｏｃａｒｂｏｎ、ＨＦＣ）が開発された。オゾン破壊に寄与しないため、空調及び冷却器用途におけるＨＣＦＣ−２２の産業用代替品としてＲ−４１０Ａ（ジフルオロメタン（ＨＦＣ−３２）及びペンタフルオロエタン（ＨＦＣ−１２５）の５０：５０ｗ／ｗブレンド）が採用された。しかしながら、Ｒ−４１０Ａは、Ｒ−２２のドロップイン代替品ではない。したがって、Ｒ−４１０ＡでのＲ−２２の置き換えは、Ｒ−２２と比較した、Ｒ−４１０Ａのより高い動作圧力及び容積に適用させるための圧縮機の置き換え及び再設計を含む、熱交換システム内の主要な構成要素の再設計を必要とした。
【０００６】
Ｒ−４１０Ａは、Ｒ−２２よりも許容されるオゾン破壊係数（Ｏｚｏｎｅ  Ｄｅｐｌｅｔｉｎｇ  Ｐｏｔｅｎｔｉａｌ、ＯＤＰ）を有する一方、２０８８というその高い地球温暖化係数に起因して、Ｒ−４１０Ａの継続使用には問題が伴う。したがって、より環境的に許容される代替品でのＲ−４１０Ａの置き換えが当該技術分野で必要とされている。
【０００７】
代替の熱伝達流体が、中でも優れた熱伝達特性、特に特定の用途の必要性に十分に適合する熱伝達特性、化学安定性、低毒性若しくは無毒性、不燃性、潤滑剤混和性、及び／又は潤滑剤適合性を含む、達成するのが困難な特性のモザイクを保有することが非常に望ましいことが当該技術分野で理解されている。更に、Ｒ−４１０Ａの任意の代替品は、理想的には、システムの修正又は再設計を回避するために、Ｒ−４１０Ａの動作条件に対して良好な一致となるものである。その多くが予測できないものであるこれらの要求の全てを満たす熱伝達流体の開発は、大きな課題である。
【０００８】
使用効率に関しては、冷媒の熱力学性能又はエネルギー効率の喪失は、電気エネルギーの需要の増加の結果として化石燃料の使用量の増加をもたらし得ることに留意することが重要である。したがって、かかる冷媒の使用は、環境に対して二次的な悪影響を有することになる。
【０００９】
燃焼性は、多くの熱伝達用途について、重要な、かついくつかの場合には決定的な特性であると考えられている。したがって、可能であれば冷媒を達成するために、不燃性の化合物をかかる組成物に使用することがしばしば有益である。本明細書で使用される場合、「不燃性」という用語は、ＡＳＨＲＡＥ  Ｓｔａｎｄａｒｄ  ３４−２０１３に記載され、かつＡＳＨＲＡＥ  Ｓｔａｎｄａｒｄ  ３４−２０１３の付録Ｂ１に記載された条件でＡＳＴＭ  ｓｔａｎｄａｒｄ  Ｅ−６８１−２００１に従って不燃性であると判定された組成物を指す。
【００１０】
蒸気圧縮式熱伝達システム中を循環する潤滑剤がその意図される潤滑機能を行うために圧縮機に戻されることが、システム効率、及び圧縮機の適切かつ確実な働きについて重要である。そうでなければ、潤滑剤が堆積し、熱伝達部品中を含む、システムのコイル及びパイプの中に留まる可能性がある。更に、潤滑剤が蒸発器の内面に堆積すると、蒸発器の熱交換効率が低下し、それによりシステムの効率が低減される。
【００１１】
Ｒ−４１０Ａは、かかるシステムの使用中に生じる温度でポリオールエステル（ｐｏｌｙｏｌ  ｅｓｔｅｒ、ＰＯＥ）と混和性であるため、Ｒ−４１０Ａは現在、空調用途においてＰＯＥ潤滑油と共に使用されている。しかしながら、Ｒ−４１０Ａは、低温冷凍システム及びヒートポンプシステムの動作中に典型的に生じる温度ではＰＯＥと非混和性である。したがって、この非混和性を軽減する対策が講じられない限り、ＰＯＥ及びＲ−４１０Ａを低温冷凍又はヒートポンプシステムに使用することはできない。
【００１２】
したがって、空調用途においてＲ−４１０Ａの代替品として使用可能な組成物を提供することができることが望ましい。本発明の組成物を、例えば、ヒートポンプ及び低温冷凍システムにおいて使用することができることは、更なる利益であり、当該組成物は、これらのシステムの動作中に生じる温度でＰＯＥとの非混和性の不利益を被らない。
【発明の概要】
【００１３】
本発明は、Ｒ−４１０Ａの代替品として使用され得、かつ許容される地球温暖化係数（Ｇｌｏｂａｌ  Ｗａｒｍｉｎｇ  Ｐｏｔｅｎｔｉａｌ、ＧＷＰ）と併せて、優れた熱伝達特性、化学安定性、低毒性若しくは無毒性、不燃性、潤滑剤混和性、及び／又は潤滑剤適合性の所望の特性のモザイクを示す、冷媒組成物を提供する。
【００１４】
本発明によると、少なくとも約９７重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む、冷媒が提供される。
【００１５】
本発明によると、少なくとも約９８．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む、冷媒が提供される。
【００１６】
本発明によると、少なくとも約９９．５％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒であって、これらのパーセンテージはこれらの３種の化合物の総重量に基づく、冷媒が提供される。
【００１７】
本発明によると、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒であって、これらのパーセンテージはこれらの３種の化合物の総重量に基づく、冷媒が提供される。
【００１８】
本発明によると、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒であって、これらのパーセンテージはこれらの３種の化合物の総重量に基づく、冷媒が提供される。
【００１９】
好ましくは、少なくとも約９７重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）を含む、冷媒が提供される。
【００２０】
好ましくは、少なくとも約９８．５重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）を含む、冷媒が提供される。
【００２１】
好ましくは、少なくとも約９９．５重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）を含む、冷媒が提供される。
【００２２】
好ましくは、冷媒は、
約４８重量％〜約５１重量％のジフルオロメタン（ＨＦＣ−３２）、
約９．５重量％〜約１１．５重量％のペンタフルオロエタン（ＨＦＣ−１２５）、及び
３６．５重量％〜４０．５重量％のトリフルオロヨードメタン（ＣＦ３Ｉ）からなり、これらのパーセンテージはこれらの３種の化合物の総重量に基づく。
【００２３】
好ましくは、冷媒は、
約４８重量％〜約５１重量％のジフルオロメタン（ＨＦＣ−３２）、
約９．５重量％〜約１１．５重量％のペンタフルオロエタン（ＨＦＣ−１２５）、及び
３６．５重量％〜４０．５重量％のトリフルオロヨードメタン（ＣＦ３Ｉ）からなり、これらのパーセンテージはこれらの３種の化合物の総重量に基づく。
【００２４】
より好ましくは、冷媒は、少なくとも約９７重量％の以下の３種の化合物のブレンドを含み、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）を含む。
【００２５】
より好ましくは、冷媒は、少なくとも約９８．５重量％の以下の３種の化合物のブレンドを含み、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）を含む。
【００２６】
より好ましくは、冷媒は、少なくとも約９９．５重量％の以下の３種の化合物のブレンドを含み、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）を含む。
【００２７】
より好ましくは、冷媒は、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなり、これらのパーセンテージはこれらの３種の化合物の総重量に基づく。
【００２８】
より好ましくは、冷媒は、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなり、これらのパーセンテージはこれらの３種の化合物の総重量に基づく。
【００２９】
本発明の目的では、冷媒は、ジフルオロメタン（ＨＦＣ−３２）、ペンタフルオロエタン（ＨＦＣ−１２５）、及びトリフルオロヨードメタン（ＣＦ３Ｉ）から本質的になるか、又はそれらからなることができる。
【００３０】
本発明によると、少なくとも約９７重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒が提供される。
【００３１】
本発明によると、少なくとも約９８．５重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒が提供される。
【００３２】
本発明によると、少なくとも約９９．５％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒が提供される。
【００３３】
更に、本発明によると、冷媒は、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなり、これらのパーセンテージはこれらの３種の化合物の総重量に基づく。
【００３４】
更に、本発明によると、冷媒は、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなり、これらのパーセンテージはこれらの３種の化合物の総重量に基づく。
【００３５】
好ましくは、冷媒は、少なくとも約９７重量％の以下の３種の化合物のブレンドを含み、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）を含む。
【００３６】
好ましくは、冷媒は、少なくとも約９８．５重量％の以下の３種の化合物のブレンドを含み、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）を含む。
【００３７】
好ましくは、冷媒は、少なくとも約９９．５重量％の以下の３種の化合物のブレンドを含み、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）を含む。
【００３８】
更に、本発明によると、冷媒は、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）からなり、これらのパーセンテージはこれらの３種の化合物の総重量に基づく。
【００３９】
更に、本発明によると、冷媒は、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）からなり、これらのパーセンテージはこれらの３種の化合物の総重量に基づく。
【００４０】
より好ましくは、冷媒は、少なくとも約９７重量％の以下の３種の化合物のブレンドを含み、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）を含む。
【００４１】
より好ましくは、冷媒は、少なくとも約９８．５重量％の以下の３種の化合物のブレンドを含み、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）を含む。
【００４２】
より好ましくは、冷媒は、少なくとも約９９．５重量％の以下の３種の化合物のブレンドを含み、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）を含む。
【００４３】
更に、本発明によると、冷媒は、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）から本質的になり、これらのパーセンテージはこれらの３種の化合物の総重量に基づく。
【００４４】
更に、本発明によると、冷媒は、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなり、これらのパーセンテージはこれらの３種の化合物の総重量に基づく。
【図面の簡単な説明】
【００４５】
【図１】実施例１５による、Ｒ４１０ＡとＰＯＥ−３２油との混和性を例証するチャートである。
【発明を実施するための形態】
【００４６】
本出願人らは、本発明の冷媒が、許容される地球温暖化係数（ＧＷＰ）と併せて、熱伝達特性、化学安定性、低毒性若しくは無毒性、不燃性、及び／又は潤滑剤適合性から選択される２つ以上の特性の組み合わせと関連して、特に、Ｒ−４１０Ａの代替品としての本発明の冷媒の使用に関連して、非常に有益な特性を提供することができることを見出した。
【００４７】
本発明の目的では、重量パーセントで表される量に関する「約」という用語は、＋／−２重量％、好ましくは＋／−１重量％、より好ましくは０．５重量％の量で変動し得る成分の量を意味する。温度に関する「約」という用語は、指定された温度が、＋／−５℃、好ましくは＋／−２℃、及びより好ましくは＋／−１℃、最も好ましくは＋／−０．５℃の量で変動し得ることを意味する。
【００４８】
本発明の冷媒の特定の利点は、ＡＳＨＲＡＥ  Ｓｔａｎｄａｒｄ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に、それらが不燃性であることである。燃焼性は、発火及び／又は炎を広げる組成物の能力として定義される。冷媒の燃焼性が多くの重要な熱伝達用途のための重要な特徴であることは当業者には理解されるであろう。したがって、優れた熱伝達特性、化学安定性、低毒性若しくは無毒性、及び／又は潤滑剤適合性を有し、かつ使用中に不燃性を維持する、Ｒ−４１０Ａの代替品として使用され得る冷媒組成物を提供することが、当該技術分野において望まれている。この要件は、本発明の冷媒によって達成される。
【００４９】
冷媒は、熱伝達組成物中に組み込むことができる。したがって、熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、かつ
（ｂ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であること、を一度に提供する重要な特徴を有する冷媒を、冷媒Ｒ−４１０Ａと共に有用である熱伝達システムにおいて利用する、熱伝達組成物、方法、及びシステムが提供され、かかる冷媒は、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む冷媒を含む熱伝達組成物に関する。
【００５０】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、かつ
（ｂ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であること、を一度に提供する重要な特徴を有する冷媒を、冷媒Ｒ−４１０Ａと共に有用である熱伝達システムにおいて利用する、熱伝達組成物、方法、及びシステムが提供され、かかる冷媒は、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる。
【００５１】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、
（ｂ）当該システム中の、及び／又は当該方法において使用されるＲ４１０Ａの能力の約９５％〜約１０５％、好ましくは約９８％〜１０５％の能力を有し、かつ
（ｃ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であり、かかる冷媒は、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む冷媒を含む熱伝達組成物に関する。
【００５２】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、
（ｂ）当該システム中の、及び／又は当該方法において使用されるＲ４１０Ａの能力の約９５％〜約１０５％、好ましくは約９８％〜１０５％の能力を有し、かつ
（ｃ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であり、かかる冷媒は、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる。
【００５３】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、
（ｂ）当該システム中の、及び／又は当該方法において使用されるＲ４１０Ａの能力の約９５％〜約１０５％、好ましくは約９８％〜１０５％の能力を有し、
（ｃ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であり、
（ｄ）前記システム及び／又は前記方法において、Ｒ−４１０Ａの圧縮機吐出温度よりも１０℃以上高くない圧縮機吐出温度を生成し、かつ
（ｅ）システム及び／又は方法において、Ｒ−４１０Ａの圧縮機圧力比の約９５％〜約１０５％の圧縮機圧力比を生成すること、を一度に提供する重要な特徴を有する冷媒を、冷媒Ｒ−４１０Ａと共に有用である熱伝達システムにおいて利用する、熱伝達組成物、方法、及びシステムが提供され、かかる冷媒は、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む冷媒を含む熱伝達組成物に関する。
【００５４】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、
（ｂ）当該システム中の、及び／又は当該方法において使用されるＲ４１０Ａの能力の約９５％〜約１０５％、好ましくは約９８％〜１０５％の能力を有し、
（ｃ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であり、
（ｄ）前記システム及び／又は前記方法において、Ｒ−４１０Ａの圧縮機吐出温度よりも１０℃以上高くない圧縮機吐出温度を生成し、かつ
（ｅ）システム及び／又は方法において、Ｒ−４１０Ａの圧縮機圧力比の約９５％〜約１０５％の圧縮機圧力比を生成すること、を一度に提供する重要な特徴を有する冷媒を、冷媒Ｒ−４１０Ａと共に有用である熱伝達システムにおいて利用する、熱伝達組成物、方法、及びシステムが提供され、かかる冷媒は、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる。
【００５５】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、かつ
（ｂ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であること、を一度に提供する重要な特徴を有する冷媒を、冷媒Ｒ−４１０Ａと共に有用である熱伝達システムにおいて利用する、熱伝達組成物、方法、及びシステムが提供され、かかる冷媒は、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）から本質的になる。
【００５６】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、かつ
（ｂ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であること、を一度に提供する重要な特徴を有する冷媒を、冷媒Ｒ−４１０Ａと共に有用である熱伝達システムにおいて利用する、熱伝達組成物、方法、及びシステムが提供され、かかる冷媒は、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）から本質的になる。
【００５７】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、
（ｂ）当該システム中の、及び／又は当該方法において使用されるＲ４１０Ａの能力の約９５％〜約１０５％、好ましくは約９８％〜１０５％の能力を有し、かつ
（ｃ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であり、かかる冷媒は、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）から本質的になる。
【００５８】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、
（ｂ）当該システム中の、及び／又は当該方法において使用されるＲ４１０Ａの能力の約９５％〜約１０５％、好ましくは約９８％〜１０５％の能力を有し、かつ
（ｃ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であり、かかる冷媒は、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）から本質的になる。
【００５９】
熱伝達組成物、方法、及びシステムであって、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、
（ｂ）当該システム中の、及び／又は当該方法において使用されるＲ４１０Ａの能力の約９５％〜約１０５％、好ましくは約９８％〜１０５％の能力を有し、
（ｃ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であり、
（ｄ）前記システム及び／又は前記方法において、Ｒ−４１０Ａの圧縮機吐出温度よりも１０℃以上高くない圧縮機吐出温度を生成し、かつ
（ｅ）システム及び／又は方法において、Ｒ−４１０Ａの圧縮機圧力比の約９５％〜約１０５％の圧縮機圧力比を生成すること、を一度に提供する重要な特徴を有する冷媒を、冷媒Ｒ−４１０Ａと共に有用である熱伝達システムにおいて利用する、熱伝達組成物、方法、及びシステムが提供され、かかる冷媒は、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）から本質的になる。
【００６０】
熱伝達組成物、方法、及びシステムであって、冷媒Ｒ−４０１Ａと共に有用である熱伝達システムにおいて、当該システムにおいて及び／又は当該方法と関連して、
（ａ）当該システム中の、及び／又は当該方法において使用されるＲ４１０Ａの効率の約９５％〜約１０５％、好ましくは約１００％〜約１０５％の効率（ＣＯＰ）を有し、
（ｂ）当該システム中の、及び／又は当該方法において使用されるＲ４１０Ａの能力の約９５％〜約１０５％、好ましくは約９８％〜１０５％の能力を有し、
（ｃ）ＡＳＨＲＡＥ  Ｓｔａｎｄａｒｄ  ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に不燃性であり、
（ｄ）前記システム及び／又は前記方法において、Ｒ−４１０Ａの圧縮機吐出温度よりも１０℃以上高くない圧縮機吐出温度を生成し、かつ
（ｅ）システム及び／又は方法において、Ｒ−４１０Ａの圧縮機圧力比の約９５％〜約１０５％の圧縮機圧力比を生成すること、を一度に提供する重要な特徴を有する冷媒を、冷媒Ｒ−４１０Ａと共に有用である熱伝達システムにおいて利用する、熱伝達組成物、方法、及びシステムが提供され、かかる冷媒は、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）から本質的になる。
【００６１】
冷媒は、熱伝達組成物中に組み込むことができる。
【００６２】
本発明は、少なくとも約９７重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む冷媒を含む熱伝達組成物に関する。
【００６３】
本発明は更に、少なくとも約９８．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む冷媒を含む熱伝達組成物に関する。
【００６４】
本発明は更に、少なくとも約９９．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む冷媒を含む熱伝達組成物に関する。
【００６５】
したがって、本発明は更に、以下の３種の化合物のブレンドから本質的になる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む冷媒を含む熱伝達組成物に関する。
【００６６】
したがって、本発明は更に、以下の３種の化合物のブレンドからなる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）を含む冷媒を含む熱伝達組成物に関する。
【００６７】
好ましくは、熱伝達組成物は、少なくとも約９７重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる。
【００６８】
本発明は更に、少なくとも約９８．５重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる。
【００６９】
好ましくは、熱伝達組成物は、以下の３種の化合物のブレンドから本質的になる冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる。
【００７０】
好ましくは、熱伝達組成物は、以下の３種の化合物のブレンドからなる冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる。
【００７１】
熱伝達組成物は、少なくとも約９７重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）を含む冷媒を更に含み得る。
【００７２】
より好ましくは、熱伝達組成物は、少なくとも約９８．５重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）を含む冷媒を更に含み得る。
【００７３】
より好ましくは、熱伝達組成物は、少なくとも約９９．５重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）を含む冷媒を更に含み得る。
【００７４】
より好ましくは、熱伝達組成物は、以下の３種の化合物のブレンドから本質的になる冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）を含む冷媒を更に含み得る。
【００７５】
より好ましくは、熱伝達組成物は、以下の３種の化合物のブレンドからなる冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）を含む冷媒を更に含み得る。
【００７６】
本発明は更に、少なくとも約９７重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒を含む熱伝達組成物に関する。
【００７７】
本発明は更に、少なくとも約９８．５重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒を含む熱伝達組成物に関する。
【００７８】
本発明は更に、少なくとも約９９．５重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒を含む熱伝達組成物に関する。
【００７９】
本発明は更に、以下の３種の化合物のブレンドから本質的になる冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒を含む熱伝達組成物に関する。
【００８０】
本発明は更に、以下の３種の化合物のブレンドからなる冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒を含む熱伝達組成物に関する。
【００８１】
好ましくは、熱伝達組成物は、少なくとも約９７重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）を含む冷媒を含む。
【００８２】
好ましくは、熱伝達組成物は、少なくとも約９８．５重量％の以下の３種の化合物のブレンドを含み、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）を含む冷媒を含む。
【００８３】
好ましくは、熱伝達組成物は、少なくとも約９９．５重量％の以下の３種の化合物のブレンドを含み、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）を含む冷媒を含む。
【００８４】
好ましくは、熱伝達組成物は、以下の３種の化合物のブレンドから本質的になる冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）を含む冷媒を含む。
【００８５】
好ましくは、熱伝達組成物は、以下の３種の化合物のブレンドからなる冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）を含む冷媒を含む。
【００８６】
より好ましくは、熱伝達組成物は、少なくとも約９７重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）を含む冷媒を含む。
【００８７】
より好ましくは、熱伝達組成物は、少なくとも約９８．５重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）を含む冷媒を含む。
【００８８】
より好ましくは、熱伝達組成物は、少なくとも約９９．５重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）を含む冷媒を含む。
【００８９】
より好ましくは、熱伝達組成物は、以下の３種の化合物のブレンドから本質的になる冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）を含む冷媒を含む。
【００９０】
より好ましくは、熱伝達組成物は、以下の３種の化合物のブレンドからなる冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）を含む冷媒を含む。
【００９１】
好ましくは、熱伝達組成物は、熱伝達組成物の４０重量％超、又は熱伝達組成物の約５０重量％超、又は熱伝達組成物の７０重量％超、又は熱伝達組成物の８０重量％超、又は熱伝達組成物の９０重量％超の量の冷媒を含む。熱伝達組成物は、冷媒から本質的になってもよい。
【００９２】
本発明の熱伝達組成物は、ある特定の機能性を増強させるか、又はそれを組成物に提供する目的で他の成分を含んでもよい。かかる他の成分又は添加剤には、潤滑剤、染料、可溶化剤、相溶化剤、安定化剤、抗酸化剤、腐食抑制剤、極圧添加剤、及び耐摩耗剤のうちの１つ以上が含まれ得る。
【００９３】
本発明の熱伝達組成物は、特に、上記の冷媒と安定化剤とを含む。好ましい安定化剤の例としては、ジエン系化合物、及び／又はフェノール系化合物、及び／又はリン化合物、及び／又は窒素化合物、及び／又は芳香族エポキシド、アルキルエポキシド、アルケニルエポキシドからなる群から選択されるエポキシドが挙げられる。
【００９４】
好ましくは、安定化剤は、約０．００１重量％〜約５重量％、好ましくは約０．０１重量％〜約２重量％、より好ましくは約０．１〜１重量％の量で熱伝達組成物中に提供される。各々の場合において、重量パーセンテージは、熱伝達組成物の重量を指す。
【００９５】
ジエン系化合物は、Ｃ３〜Ｃ１５ジエン、及び任意の２種以上のＣ３〜Ｃ４ジエンの反応によって形成された化合物を含む。好ましくは、ジエン系化合物は、アリルエーテル、プロパジエン、ブタジエン、イソプレン、及びテルペンからなる群から選択される。ジエン系化合物は、好ましくはテルペンであり、これにはテレベン、レチナール、ゲラニオール、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１が含まれるがこれらに限定されない。好ましくは、安定化剤は、ファルネセンである。
【００９６】
好ましいテルペン安定化剤は、参照により本明細書に組み込まれている、２００４年１２月１２日出願の米国仮特許出願第６０／６３８，００３号に開示されている。
【００９７】
ジエン系化合物は、約０．００１重量％〜約１０重量％、好ましくは約０．０１重量％〜約５重量％、より好ましくは約０．１〜約２．５重量％、更により好ましくは約１〜約２．５重量％の量で熱伝達組成物中に提供され得る。各々の場合において、重量パーセンテージは、熱伝達組成物の重量を指す。
【００９８】
更に、ジエン系化合物は、約０．００１重量％〜約５重量％、好ましくは約０．０１重量％〜約２重量％、より好ましくは約０．１〜１重量％の量で熱伝達組成物中に提供され得る。各々の場合において、重量パーセンテージは、熱伝達組成物の重量を指す。
【００９９】
ジエン系化合物は、好ましくは、リン化合物と組み合わせて提供される。
【０１００】
リン化合物は、亜リン酸化合物又はリン酸化合物であり得る。本発明の目的では、亜リン酸化合物は、ジアリール、ジアルキル、トリアリール、及び／又はトリアルキルホスファイト、特にヒンダードホスファイト、トリス−（ジ−ｔｅｒｔ−ブチルフェニル）ホスファイト、ジ−ｎ−オクチルホスファイト、イソ−デシルジフェニルホスファイト、トリフェニルホスファイト、及びジフェニルホスファイトから選択される１種以上の化合物、特にジフェニルホスファイトであり得る。
【０１０１】
リン酸化合物は、トリアリールホスフェート、トリアルキルホスフェート、アルキルモノ酸ホスフェート、アリール二酸ホスフェート、アミンホスフェート、好ましくはトリアリールホスフェート及び／又はトリアルキルホスフェート、特にトリ−ｎ−ブチルホスフェートであり得る。
【０１０２】
好ましくは、安定化剤は、ファルネセン及びジフェニルホスファイトを含む。
【０１０３】
リン化合物は、約０．００１重量％〜約１０重量％、より好ましくは約０．０１重量％〜約５重量％、更により好ましくは約０．１〜約２．５重量％、更により好ましくは約１〜約２．５重量％の量で熱伝達組成物中に提供され得る。各々の場合において、重量によるは、熱伝達組成物の重量を指す。
【０１０４】
更に、リン化合物は、約０．００１重量％〜約５重量％、好ましくは約０．０１重量％〜約２重量％、より好ましくは約０．１〜１重量％の量で熱伝達組成物中に提供され得る。各々の場合において、重量によるは、熱伝達組成物の重量を指す。
【０１０５】
本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
テルペン及びリン化合物を含む安定化剤組成物と、を含む。リン化合物は、好ましくは、ホスフェート又はホスファイトから選択される。好ましくは、安定化剤組成物は、テルペン及びホスファイト、より好ましくはファルネセン及びジフェニルホスファイトを含む。
【０１０６】
更に、本発明の熱伝達組成物は、ここに記載される冷媒のうちのいずれか１つによる冷媒であるが、好ましくは、少なくとも約９８．５重量％又は少なくとも約９８．５７重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
テルペン及びリン化合物を含む安定化剤組成物と、を含む。リン化合物は、好ましくは、ホスフェート又はホスファイトから選択される。好ましくは、安定化剤組成物は、テルペン及びホスファイト、より好ましくはファルネセン及びジフェニルホスファイトを含む。
【０１０７】
更に、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
テルペン及びリン化合物を含む安定化剤組成物と、を含む。リン化合物は、好ましくは、ホスフェート又はホスファイトから選択される。好ましくは、安定化剤組成物は、テルペン及びホスファイト、より好ましくはファルネセン及びジフェニルホスファイトを含む。
【０１０８】
更に、本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
テルペン及びリン化合物を含む安定化剤組成物と、を含む。リン化合物は、好ましくは、ホスフェート又はホスファイトから選択される。好ましくは、安定化剤組成物は、テルペン及びホスファイト、より好ましくはファルネセン及びジフェニルホスファイトを含む。
【０１０９】
更に、本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
テルペン及びリン化合物を含む安定化剤組成物と、を含む。リン化合物は、好ましくは、ホスフェート又はホスファイトから選択される。好ましくは、安定化剤組成物は、テルペン及びホスファイト、より好ましくはファルネセン及びジフェニルホスファイトを含む。
【０１１０】
更に、本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１１】
更に、本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１２】
更に、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１３】
更に、本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）から本質的になる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１４】
更に、本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１５】
更に、本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、テルペン、及びホスフェート又はホスファイトから選択されるリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１６】
更に、本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、テルペン、及びホスフェート又はホスファイトから選択されるリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１７】
更に、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、テルペン、及びホスフェート又はホスファイトから選択されるリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１８】
更に、本発明の熱伝達組成物は、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、テルペン、及びホスフェート又はホスファイトから選択されるリン化合物を含む安定化剤組成物と、を含み得る。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１１９】
更に、本発明の熱伝達組成物は、以下の３種の化合物のブレンドからなる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、テルペン、及びホスフェート又はホスファイトから選択されるリン化合物を含む安定化剤組成物と、を含み得る。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２０】
更に、本発明の熱伝達組成物は、本明細書に記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒と、テルピン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２１】
更に、本発明の熱伝達組成物は、本明細書に記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２２】
更に、本発明の熱伝達組成物は、本明細書に記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２３】
更に、本発明の熱伝達組成物は、本明細書に記載される冷媒のうちのいずれか１つによる冷媒であるが、好ましくは、以下の３種の化合物のブレンドから本質的になる冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２４】
更に、本発明の熱伝達組成物は、本明細書に記載される冷媒のうちのいずれか１つによる冷媒であるが、好ましくは、以下の３種の化合物のブレンドからなる冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２５】
更に、本発明の熱伝達組成物は、本明細書に記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２６】
更に、本発明の熱伝達組成物は、本明細書に記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２７】
更に、本発明の熱伝達組成物は、本明細書に記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２８】
更に、本発明の熱伝達組成物は、本明細書に記載される冷媒のうちのいずれか１つによる冷媒であるが、好ましくは、以下の３種の化合物のブレンドから本質的になる冷媒であって、以下の３種の化合物の総重量に基づく以下のパーセンテージで、
約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１２９】
更に、本発明の熱伝達組成物は、本明細書に記載される冷媒のうちのいずれか１つによる冷媒であるが、好ましくは、以下の３種の化合物のブレンドからなる冷媒であって、以下の３種の化合物の総重量に基づく以下のパーセンテージで、
約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１３０】
更に、本発明の熱伝達組成物は、本明細書に記載される冷媒のうちのいずれか１つによる冷媒であるが、好ましくは、少なくとも約９７．５重量％の以下の３種の化合物のブレンドを含む冷媒であって、以下の３種の化合物の総重量に基づく以下のパーセンテージで、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１３１】
更に、本発明の熱伝達組成物は、本明細書に記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１３２】
更に、本発明の熱伝達組成物は、本明細書に記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、テルペン及びリン化合物を含む安定化剤組成物と、を含む。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１３３】
更に、本発明の熱伝達組成物は、ここに記載される冷媒のうちのいずれか１つによる冷媒であるが、好ましくは、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、テルペン及びリン化合物を含む安定化剤組成物と、を含み得る。リン化合物は、好ましくは、ホスフェート又はホスファイトから選択される。好ましくは、かかる組成物中の安定化剤は、テルペン及びホスファイト、より好ましくはファルネセン及びジフェニルホスファイトを含む。
【０１３４】
更に、本発明の熱伝達組成物は、ここに記載される冷媒のうちのいずれか１つによる冷媒であるが、好ましくは、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、テルペン及びリン化合物を含む安定化剤組成物と、を含み得る。リン化合物は、好ましくは、ホスフェート又はホスファイトから選択される。好ましくは、安定化剤組成物は、テルペン及びホスファイト、より好ましくはファルネセン及びジフェニルホスファイトを含む。
【０１３５】
好ましくは、熱伝達組成物は、上記の冷媒と、ファルネセン、並びにジアリールホスファイト、ジアルキルホスファイト、トリアリールホスフェート、又はトリアルキルホスフェート、より好ましくはジフェニルホスファイト及び／又はトリ−ｎ−ブチルホスフェートから選択されるリン化合物を含む安定化剤組成物と、を含む。より好ましくは、熱伝達組成物は、本明細書に記載される冷媒と、ファルネセン、及びジアリールホスファイト又はジアルキルホスファイトのうちの１種以上、より好ましくはジフェニルホスファイトを含む安定化剤組成物と、を含む。
【０１３６】
代替的には、又は更には、安定化剤は、窒素化合物である。本発明の目的では、窒素化合物は、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される１種以上の化合物であり得る。好ましくは、安定化剤は、ジニトロベンゼンである。
【０１３７】
代替的には、又は更には、窒素化合物は、アミン系化合物を含む。本発明の目的では、アミン系化合物は、ジフェニルアミン、ｐ−フェニレンジアミン、トリエチルアミン、トリブチルアミン、ジイソプロピルアミン、トリイソプロピルアミン、及びトリイソブチルアミンから選択される１種以上の二級又は三級アミンであり得る。本発明の目的では、アミン系化合物は、アミン抗酸化剤、例えば、置換ピペリジン化合物、すなわち、アルキル置換ピペリジル、ピペリジニル、ピペラジノン、又はアルキオキシピペリジニルの誘導体、特に、２，２，６，６−テトラメチル−４−ピペリドン、２，２，６，６−テトラメチル−４−ピペリジノール；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、並びにヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）から選択される１種以上のアミン抗酸化剤であり得る。本発明の目的では、アミン系化合物は、ビス（ノニルフェニルアミン）などのアルキルジフェニルアミン又は（Ｎ−（１−メチルエチル）−２−プロピルアミンなどのジアルキルアミンであり得る。代替的には、又は更には、アミン系化合物は、フェニル−アルファ−ナフチルアミン（ｐｈｅｎｙｌ−ａｌｐｈａ−ｎａｐｈｔｈｙｌ  ａｍｉｎｅ、ＰＡＮＡ）、アルキル−フェニル−アルファ−ナフチル−アミン（ａｌｋｙｌ−ｐｈｅｎｙｌ−ａｌｐｈａ−ｎａｐｈｔｈｙｌ−ａｍｉｎｅ、ＡＰＡＮＡ）、及びビス（ノニルフェニル）アミンのうちの１種以上であり得る。好ましくは、アミン系化合物は、フェニル−アルファ−ナフチルアミン（ＰＡＮＡ）、アルキル−フェニル−アルファ−ナフチル−アミン（ＡＰＡＮＡ）、及びビス（ノニルフェニル）アミンのうちの１種以上、より好ましくはフェニル−アルファ−ナフチルアミン（ＰＡＮＡ）である。
【０１３８】
窒素化合物は、約０．００１重量％〜約１０重量％、好ましくは約０．０１重量％〜約５重量％、より好ましくは約０．１〜約２．５重量％、更により好ましくは約１〜約２．５重量％の量で熱伝達組成物中に提供され得る。各々の場合において、重量パーセンテージは、熱伝達組成物の重量を指す。
【０１３９】
更に、窒素化合物は、約０．００１重量％〜約５重量％、好ましくは約０．０１重量％〜約２重量％、より好ましくは約０．１〜１重量％の量で熱伝達組成物中に提供され得る。各々の場合において、重量パーセンテージは、熱伝達組成物の重量を指す。
【０１４０】
更に、本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１４１】
更に、本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１４２】
更に、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１４３】
更に、本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１４４】
更に、本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１４５】
本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１４６】
本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１４７】
本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、ジニトロベンゼン、ニトロソベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１４８】
本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）から本質的になる冷媒と、ジニトロベンゼン、ニトロソベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１４９】
本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）からなる冷媒と、ジニトロベンゼン、ニトロソベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１５０】
本発明の熱伝達組成物は、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１５１】
本発明の熱伝達組成物は、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１５２】
本発明の熱伝達組成物は、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１５３】
本発明の熱伝達組成物は、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含み得る。
【０１５４】
本発明の熱伝達組成物は、以下の３種の化合物のブレンドからなる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含むか、又は好ましくは窒素化合物がジニトロベンゼンである、安定化剤組成物と、を含み得る。
【０１５５】
したがって、本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１５６】
したがって、本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１５７】
したがって、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１５８】
したがって、本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）から本質的になる冷媒と、ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１５９】
したがって、本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）からなる冷媒と、ジニトロベンゼン、ニトロベンゼン、ニトロメタン、ニトロソベンゼン、ＴＥＭＰＯ［（２，２，６，６−テトラメチルピペリジン−１−イル）オキシル］、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１６０】
本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ジニトロベンゼン、ニトロソベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１６１】
本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ジニトロベンゼン、ニトロソベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１６２】
本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ジニトロベンゼン、ニトロソベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１６３】
本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、ジニトロベンゼン、ニトロソベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１６４】
本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、ジニトロベンゼン、ニトロソベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１６５】
本発明の熱伝達組成物は、少なくとも約９７重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニイルフェニル）アミン、より好ましくはフェニル−アルファ−ナフチルアミン（ＰＡＮＡ）から選択される窒素化合物を含む安定化剤組成物と、を含む。
【０１６６】
本発明の熱伝達組成物は、少なくとも約９８．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニイルフェニル）アミン、より好ましくはフェニル−アルファ−ナフチルアミン（ＰＡＮＡ）から選択される窒素化合物を含む安定化剤組成物と、を含む。
【０１６７】
本発明の熱伝達組成物は、少なくとも約９９．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニイルフェニル）アミン、より好ましくはフェニル−アルファ−ナフチルアミン（ＰＡＮＡ）から選択される窒素化合物を含む安定化剤組成物と、を含む。
【０１６８】
本発明の熱伝達組成物は、以下の３種の化合物のブレンドから本質的になる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニイルフェニル）アミン、より好ましくはフェニル−アルファ−ナフチルアミン（ＰＡＮＡ）から選択される窒素化合物を含む安定化剤組成物と、を含む。
【０１６９】
本発明の熱伝達組成物は、以下の３種の化合物のブレンドからなる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、ジニトロベンゼン、ニトロベンゼン、ニトロメタン、ニトロソベンゼン、及びＴＥＭＰＯ［（２，２，６，６−テトラメチルピペリジン−１−イル）オキシル、ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；ビス（ノニルフェニルアミン）などのアルキルジフェニルアミン、（Ｎ−（１−メチルエチル）−２−プロピルアミンなどのジアルキルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくは、フェニル−アルファ−ナフチルアミン（ＰＡＮＡ）、アルキル−フェニル−アルファ−ナフチル−アミン（ＡＰＡＮＡ）、及びビス（ノニルフェニル）アミン、より好ましくはフェニル−アルファ−ナフチルアミン（ＰＡＮＡ）から選択される窒素化合物を含む安定化剤組成物と、を含む。
【０１７０】
代替的には、又は更には、安定化剤は、フェノール、好ましくはヒンダードフェノールを含む。本発明の目的では、フェノールは、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１７１】
フェノール化合物は、約０．００１重量％〜約５重量％、好ましくは約０．０１重量％〜約２重量％、より好ましくは約０．１〜１重量％の量で熱伝達組成物中に提供され得る。各々の場合において、重量パーセンテージは、熱伝達組成物の重量を指す。
【０１７２】
代替的には、フェノール化合物は、約０．００１重量％〜約５重量％、好ましくは約０．００５重量％〜約２重量％、より好ましくは約０．０１〜１重量％の量で熱伝達組成物中に提供され得る。各々の場合において、重量パーセンテージは、熱伝達組成物の重量を指す。
【０１７３】
本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び３７．５重量％〜４５．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１７４】
更に、本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び３７．５重量％〜４５．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１７５】
更に、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び３７．５重量％〜４５．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１７６】
更に、本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び３７．５重量％〜４５．５重量％のトリフルオロヨードメタン（ＣＦ３Ｉ）から本質的になる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１７７】
更に、本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び３７．５重量％〜４５．５重量％のトリフルオロヨードメタン（ＣＦ３Ｉ）からなる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１７８】
更に、本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１７９】
更に、本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８０】
更に、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８１】
更に、本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）から本質的になる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８２】
更に、本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）からなる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８３】
本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８４】
本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８５】
本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８６】
本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８７】
本発明の熱伝達組成物は、以下の３種の化合物のブレンドからなる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８８】
本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１８９】
更に、本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９０】
更に、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９１】
更に、本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）から本質的になる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９２】
更に、本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）からなる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９３】
更に、本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９４】
更に、本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９５】
更に、本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９６】
更に、本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９７】
更に、本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９８】
本発明の熱伝達組成物は、少なくとも約９７重量％の以下の３種の化合物のブレンド冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０１９９】
本発明の熱伝達組成物は、少なくとも約９８．５重量％の以下の３種の化合物のブレンド冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０２００】
本発明の熱伝達組成物は、少なくとも約９９．５重量％の以下の３種の化合物のブレンド冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０２０１】
本発明の熱伝達組成物は、以下の３種の化合物のブレンドから本質的になる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択され、好ましくはＢＨＴである、フェノール化合物を含む安定化剤組成物と、を含む。
【０２０２】
本発明の熱伝達組成物は、以下の３種の化合物のブレンドからなる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択される１種以上の化合物、好ましくはから選択されるフェノール化合物を含む安定化剤組成物と、を含む。
【０２０３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２０４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２０５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２０６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２０７】
本発明の熱伝達組成物は、好ましくは、以下の３種の化合物のブレンドからなる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２０８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２０９】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１０】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１１】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１２】
本発明の熱伝達組成物は、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１７】
本発明の熱伝達組成物は、好ましくは、以下の３種の化合物のブレンドからなる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２１９】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２０】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２１】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４２重量％〜４８重量％のジフルオロメタン（ＨＦＣ−３２）、６．５重量％〜１２．５重量％のペンタフルオロエタン（ＨＦＣ−１２５）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２２】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２３】
更に、本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２４】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２５】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２６】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２７】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２８】
本発明の熱伝達組成物は、好ましくは、少なくとも約９７重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２２９】
本発明の熱伝達組成物は、好ましくは、少なくとも約９８．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２３０】
本発明の熱伝達組成物は、好ましくは、少なくとも約９９．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２３１】
本発明の熱伝達組成物は、好ましくは、以下の３種の化合物のブレンドから本質的になる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２３２】
本発明の熱伝達組成物は、好ましくは、以下の３種の化合物のブレンドからなる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、を含み得る。
【０２３３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２３４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２３５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２３６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２３７】
本発明の熱伝達組成物は、好ましくは、以下の３種の化合物のブレンドからなる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２３８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２３９】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４０】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４１】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４２】
本発明の熱伝達組成物は、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４７】
本発明の熱伝達組成物は、好ましくは、以下の３種の化合物のブレンドからなる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２４９】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５０】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５１】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４２重量％〜４８重量％のジフルオロメタン（ＨＦＣ−３２）、６．５重量％〜１２．５重量％のペンタフルオロエタン（ＨＦＣ−１２５）から本質的になる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５２】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５３】
更に、本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５４】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５５】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５６】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５７】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５８】
本発明の熱伝達組成物は、好ましくは、少なくとも約９７重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２５９】
本発明の熱伝達組成物は、好ましくは、少なくとも約９８．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２６０】
本発明の熱伝達組成物は、好ましくは、少なくとも約９９．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２６１】
本発明の熱伝達組成物は、好ましくは、以下の３種の化合物のブレンドから本質的になる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２６２】
本発明の熱伝達組成物は、好ましくは、以下の３種の化合物のブレンドからなる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、ＢＨＴから本質的になる安定化剤組成物であって、当該ＢＨＴが、熱伝達組成物の重量に基づいて約０．００１重量％〜約５重量％の量で存在する、安定化剤組成物と、を含み得る。
【０２６３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２６４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２６５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２６６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２６７】
本発明の熱伝達組成物は、好ましくは、以下の３種の化合物のブレンドからなる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２６８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２６９】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７０】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７１】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７２】
本発明の熱伝達組成物は、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７７】
本発明の熱伝達組成物は、好ましくは、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２７９】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８０】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８１】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８２】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８３】
更に、本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８４】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８５】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８６】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８７】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８８】
本発明の熱伝達組成物は、好ましくは、少なくとも約９７重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２８９】
本発明の熱伝達組成物は、好ましくは、少なくとも約９８．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９０】
本発明の熱伝達組成物は、好ましくは、少なくとも約９９．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９１】
本発明の熱伝達組成物は、好ましくは、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９２】
本発明の熱伝達組成物は、好ましくは、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９７】
本発明の熱伝達組成物は、好ましくは、以下の３種の化合物のブレンドからなる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０２９９】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３００】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０１】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉから本質的になる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０２】
本発明の熱伝達組成物は、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０７】
本発明の熱伝達組成物は、好ましくは、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３０９】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１０】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１１】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）から本質的になる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１２】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１３】
更に、本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１４】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１５】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１６】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１７】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１８】
本発明の熱伝達組成物は、好ましくは、少なくとも約９７重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３１９】
本発明の熱伝達組成物は、好ましくは、少なくとも約９８．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３２０】
本発明の熱伝達組成物は、好ましくは、少なくとも約９９．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３２１】
本発明の熱伝達組成物は、好ましくは、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３２２】
本発明の熱伝達組成物は、好ましくは、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、ファルネセン、ジフェニルホスファイト、及びＢＨＴから本質的になる安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含み得る。
【０３２３】
上記に定義される本発明の熱伝達組成物の各々は、潤滑剤を更に含み得る。一般に、熱伝達組成物は、熱伝達組成物の約５〜６０重量％、好ましくは熱伝達組成物の約１０〜約６０重量％、好ましくは熱伝達組成物の約２０〜約５０重量％、代替的には熱伝達組成物の約２０〜約４０重量％、代替的には熱伝達組成物の約２０〜約３０重量％、代替的には熱伝達組成物の約３０〜約５０重量％、代替的には熱伝達組成物の約３０〜約４０重量％の量の潤滑剤を含む。熱伝達組成物は、熱伝達組成物の約５〜約１０重量％、好ましくは熱伝達組成物の約８重量％程の量の潤滑剤を含み得る。
【０３２４】
冷凍機械に使用されている、ポリオールエステル（ＰＯＥ）、ポリアルキレングリコール（ｐｏｌｙａｌｋｙｌｅｎｅ  ｇｌｙｃｏｌ、ＰＡＧ）、シリコーン油、鉱物油、アルキルベンゼン（ａｌｋｙｌｂｅｎｚｅｎｅ、ＡＢ）、ポリビニルエーテル（ｐｏｌｙｖｉｎｙｌ  ｅｔｈｅｒ、ＰＶＥ）、及びポリ（アルファ−オレフィン）（ｐｏｌｙ（ａｌｐｈａ−ｏｌｅｆｉｎ）、ＰＡＯ）などの一般的に使用される冷媒潤滑剤が、本発明の冷媒組成物と共に使用され得る。
【０３２５】
好ましくは、潤滑剤は、ポリオールエステル（ＰＯＥ）、ポリアルキレングリコール（ＰＡＧ）、鉱物油、アルキルベンゼン（ＡＢ）、及びポリビニルエーテル（ＰＶＥ）から、より好ましくはポリオールエステル（ＰＯＥ）、鉱物油、アルキルベンゼン（ＡＢ）、及びポリビニルエーテル（ＰＶＥ）から、特にポリオールエステル（ＰＯＥ）、鉱物油、及びアルキルベンゼン（ＡＢ）から、最も好ましくはポリオールエステル（ＰＯＥ）から選択される。
【０３２６】
市販の鉱物油には、ＷｉｔｃｏのＷｉｔｃｏ  ＬＰ  ２５０（登録商標）、ＷｉｔｃｏのＳｕｎｉｓｏ  ３ＧＳ、及びＣａｌｕｍｅｔのＣａｌｕｍｅｔ  Ｒ０１５が含まれる。市販のアルキルベンゼン潤滑剤には、Ｓｈｒｉｅｖｅ  ＣｈｅｍｉｃａｌのＺｅｒｏｌ  １５０（登録商標）及びＺｅｒｏｌ  ３００（登録商標）が含まれる。市販のエステルには、Ｅｍｅｒｙ  ２９１７（登録商標）及びＨａｔｃｏｌ  ２３７０（登録商標）として入手可能なジペラルゴン酸ネオペンチルグリコールが含まれる。他の有用なエステルには、リン酸エステル、二塩基酸エステル、及びフルオロエステルが含まれる。
【０３２７】
本発明の目的では、上記に開示される冷媒及び安定化剤と、ポリオールエステル（ＰＯＥ）、ポリアルキレングリコール（ＰＡＧ）、鉱物油、アルキルベンゼン（ＡＢ）、及びポリビニルエーテル（ＰＶＥ）から、より好ましくはポリオールエステル（ＰＯＥ）、鉱物油、アルキルベンゼン（ＡＢ）、及びポリビニルエーテル（ＰＶＥ）から、特にポリオールエステル（ＰＯＥ）、鉱物油、及びアルキルベンゼン（ＡＢ）から、最も好ましくはポリオールエステル（ＰＯＥ）から選択される潤滑剤と、を含み得る。
【０３２８】
好ましい熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び約３７．５重量％〜４５．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３２９】
好ましい熱伝達組成物は更に、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び約３７．５重量％〜４５．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３３０】
好ましい熱伝達組成物は更に、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び約３７．５重量％〜４５．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３３１】
好ましい熱伝達組成物は更に、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び約３７．５重量％〜４５．５重量％のトリフルオロヨードメタン（ＣＦ３Ｉ）から本質的になる冷媒と、熱伝達組成物の重量に基づいて１０〜６０重量％のポリオールエステル（ＰＯＥ）潤滑剤と、を含む。
【０３３２】
好ましい熱伝達組成物は更に、ここに記載される冷媒のうちのいずれか１つによる冷媒であるが、好ましくは、以下の３種の化合物のブレンドからなる冷媒であって、以下の３種の化合物の総重量に基づく以下のパーセンテージで、４３重量％〜５１重量％のジフルオロメタン（ＨＦＣ−３２）、３．５重量％〜１１．５重量％のペンタフルオロエタン（ＨＦＣ−１２５）、及び約３７．５重量％〜４５．５重量％のトリフルオロヨードメタン（ＣＦ３Ｉ）からなる冷媒と、熱伝達組成物の重量に基づいて１０〜６０重量％のポリオールエステル（ＰＯＥ）潤滑剤と、を含む。
【０３３３】
好ましい熱伝達組成物は更に、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３３４】
好ましい本発明の熱伝達組成物は更に、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３３５】
好ましい本発明の熱伝達組成物は更に、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３３６】
好ましい本発明の熱伝達組成物は更に、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）から本質的になる冷媒と、熱伝達組成物の重量に基づいて１０〜６０重量％のポリオールエステル（ＰＯＥ）潤滑剤と、を含む。
【０３３７】
好ましい本発明の熱伝達組成物は更に、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、約９．５重量％〜約１１．５重量％のペンタフルオロエタン（ＨＦＣ−１２５）、及び約３６．５重量％〜約４０．５重量％のトリフルオロヨードメタン（ＣＦ３Ｉ）からなる冷媒と、熱伝達組成物の重量に基づいて１０〜６０重量％のポリオールエステル（ＰＯＥ）潤滑剤と、を含む。
【０３３８】
好ましい本発明の熱伝達組成物は更に、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％〜のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３３９】
好ましい本発明の熱伝達組成物は更に、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０％〜のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３４０】
好ましい本発明の熱伝達組成物は更に、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％〜のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３４１】
好ましい本発明の熱伝達組成物は更に、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約５０重量％〜のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、熱伝達組成物の重量に基づいて１０〜６０重量％のポリオールエステル（ＰＯＥ）潤滑剤と、を含む。
【０３４２】
好ましい本発明の熱伝達組成物は更に、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約５０重量％〜のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、熱伝達組成物の重量に基づいて１０〜６０重量％のポリオールエステル（ＰＯＥ）潤滑剤と、を含む。
【０３４３】
好ましい熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４２重量％〜４８重量％のジフルオロメタン（ＨＦＣ−３２）、６．５重量％〜１２．５重量％のペンタフルオロエタン（ＨＦＣ−１２５）、及び３９．５重量％〜４５．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３４４】
好ましい熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４２重量％〜４８重量％のジフルオロメタン（ＨＦＣ−３２）、６．５重量％〜１２．５重量％のペンタフルオロエタン（ＨＦＣ−１２５）、及び３９．５重量％〜４５．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３４５】
好ましい熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４２重量％〜４８重量％のジフルオロメタン（ＨＦＣ−３２）、６．５重量％〜１２．５重量％のペンタフルオロエタン（ＨＦＣ−１２５）、及び３９．５重量％〜４５．５重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３４６】
好ましい熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）から本質的になる冷媒と、熱伝達組成物の重量に基づいて１０〜６０重量％のポリオールエステル（ＰＯＥ）潤滑剤と、を含む。
【０３４７】
好ましい熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、４２重量％〜４８重量％のジフルオロメタン（ＨＦＣ−３２）、６．５重量％〜１２．５重量％のペンタフルオロエタン（ＨＦＣ−１２５）、及び３９．５重量％〜４５．５重量％のトリフルオロヨードメタン（ＣＦ３Ｉ）からなる冷媒と、熱伝達組成物の重量に基づいて１０〜６０重量％のポリオールエステル（ＰＯＥ）潤滑剤と、を含む。
【０３４８】
好ましい本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３４９】
好ましい本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３５０】
好ましい熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３５１】
好ましい本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、熱伝達組成物の重量に基づいて１０〜６０重量％のポリオールエステル（ＰＯＥ）潤滑剤と、を含む。
【０３５２】
好ましい本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、熱伝達組成物の重量に基づいて１０〜６０重量％のポリオールエステル（ＰＯＥ）潤滑剤と、を含む。
【０３５３】
好ましい本発明の熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４６重量％〜のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３５４】
好ましい本発明の熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４６重量％〜のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３５５】
好ましい本発明の熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４６重量％〜のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、熱伝達組成物の重量に基づいて１０〜６０重量％のポリオールエステル（ＰＯＥ）潤滑剤と、を含む。
【０３５６】
好ましい本発明の熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４６重量％〜のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、熱伝達組成物の重量に基づいて１０〜６０重量％のポリオールエステル（ＰＯＥ）潤滑剤と、を含む。
【０３５７】
好ましい本発明の熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４６重量％〜のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、熱伝達組成物の重量に基づいて１０〜６０重量％のポリオールエステル（ＰＯＥ）潤滑剤と、を含む。
【０３５８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３５９】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６０】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６１】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６２】
本発明の熱伝達組成物は、好ましくは、以下の３種の化合物のブレンドからなる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６７】
本発明の熱伝達組成物は、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３６９】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７０】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７１】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７２】
本発明の熱伝達組成物は、好ましくは、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７４】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７５】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７６】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４２重量％〜４８重量％のジフルオロメタン（ＨＦＣ−３２）、約６．５重量％〜１２．５重量％のペンタフルオロエタン（ＨＦＣ−１２５）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７７】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７８】
更に、本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３７９】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８０】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８１】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８２】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８３】
本発明の熱伝達組成物は、好ましくは、少なくとも約９７重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８４】
本発明の熱伝達組成物は、好ましくは、少なくとも約９８．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８５】
本発明の熱伝達組成物は、好ましくは、少なくとも約９９．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８６】
本発明の熱伝達組成物は、好ましくは、以下の３種の化合物のブレンドから本質的になる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８７】
本発明の熱伝達組成物は、好ましくは、以下の３種の化合物のブレンドからなる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、ＢＨＴを含む安定化剤組成物であって、当該ＢＨＴが、熱伝達組成物の重量に基づいて約０．００１重量％〜約５重量％の量で存在する、安定化剤組成物と、熱伝達組成物の重量に基づいて１０〜６０重量％のポリオールエステル（ＰＯＥ）潤滑剤と、を含み得る。
【０３８８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３８９】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９０】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９１】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９２】
本発明の熱伝達組成物は、好ましくは、以下の３種の化合物のブレンドからなる冷媒であって、以下の３種の化合物の総重量に基づく以下のパーセンテージで、４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９４】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９５】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９６】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉから本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９７】
本発明の熱伝達組成物は、好ましくは、以下の３種の化合物のブレンドからなる冷媒であって、以下の３種の化合物の総重量に基づく以下のパーセンテージで、約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９８】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０３９９】
本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４００】
本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０１】
本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０２】
本発明の熱伝達組成物は、好ましくは、約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０３】
本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０４】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０５】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０６】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０７】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４２重量％〜約４８重量％のジフルオロメタン（ＨＦＣ−３２）、約６．５重量％〜約１２．５重量％のペンタフルオロエタン（ＨＦＣ−１２５）、及び約３９．５重量％〜約４５．５重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０８】
更に、本発明の熱伝達組成物は、好ましくは、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４０９】
更に、本発明の熱伝達組成物は、好ましくは、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１０】
更に、本発明の熱伝達組成物は、好ましくは、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１１】
更に、本発明の熱伝達組成物は、好ましくは、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１２】
更に、本発明の熱伝達組成物は、好ましくは、ここに記載される冷媒のうちのいずれか１つによる冷媒であるが、好ましくは、以下の３種の化合物のブレンドからなる冷媒であって、以下の３種の化合物の総重量に基づく以下のパーセンテージで、約４３．５重量％〜約４８重量％のジフルオロメタン（ＨＦＣ−３２）、約１０重量％〜約１２．５重量％のペンタフルオロエタン（ＨＦＣ−１２５）、及び約４０重量％〜約４４重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１３】
本発明の熱伝達組成物は、好ましくは、少なくとも約９７重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１４】
本発明の熱伝達組成物は、好ましくは、少なくとも約９８．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１５】
本発明の熱伝達組成物は、好ましくは、少なくとも約９９．５重量％の以下の３種の化合物のブレンドを含む冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）を含む冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１６】
本発明の熱伝達組成物は、好ましくは、以下の３種の化合物のブレンドから本質的になる媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）から本質的になる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１７】
本発明の熱伝達組成物は、好ましくは、以下の３種の化合物のブレンドからなる冷媒であって、以下の３種の化合物の総重量に基づく以下のパーセンテージで、約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなる冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスファイトが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み得る。
【０４１８】
モバイル空調における使用のために本発明の組成物が提供される場合、潤滑剤は、ポリオールエステル（ＰＯＥ）潤滑剤又はポリアルキレングリコール潤滑剤、好ましくはポリオールエステル（ＰＯＥ）潤滑剤である。代替的に、定置型空調用途のために本発明の組成物が提供される場合、潤滑剤は、好ましくはポリオールエステル（ＰＯＥ）、アルキルベンゼン、又は鉱物油、より好ましくはポリオールエステル（ＰＯＥ）潤滑剤である。本発明の組成物は、本明細書に記載されるように、冷媒、安定化剤組成物、及び潤滑剤から本質的になるか、又はこれらからなり得る。
【０４１９】
驚くべきことに、本発明の冷媒組成物が、望ましい幅広い温度、例えば、−４０℃〜＋８０℃の温度でＰＯＥ潤滑剤と混和性であることが発見された。これにより、本発明の冷媒及び熱伝達組成物がＲ４１０Ａよりも幅広い熱伝達用途に使用されることが可能となる。例えば、本発明の冷媒及び熱伝達組成物は、冷凍、空調、及びヒートポンプ用途に使用され得る。
【０４２０】
ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する、熱伝達組成物が提供される。
【０４２１】
更に、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する、熱伝達組成物が提供される。
【０４２２】
更に、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４２３】
更に、ここに記載される冷媒のうちのいずれか１つによる冷媒であるが、好ましくは、以下の３種の化合物から本質的になる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）から本質的になる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４２４】
更に、ここに記載される冷媒のうちのいずれか１つによる冷媒であるが、好ましくは、以下の３種の化合物からなる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４２５】
本発明は、本明細書に記載される熱伝達組成物であって、潤滑剤が、冷媒及び潤滑剤の総量に対して２０重量％の量で存在し、混合物が、−４０℃〜＋８０℃の範囲の少なくとも１つの温度の１つの液体相を有する、熱伝達組成物を更に含み得る。
【０４２６】
本発明は、本明細書に記載される熱伝達組成物であって、潤滑剤が、冷媒及び潤滑剤の総量に対して５０重量％の量で存在し、混合物が、−４０℃〜＋８０℃の範囲の少なくとも１つの温度の１つの液体相を有する、熱伝達組成物を更に含み得る。
【０４２７】
本発明の特に好ましい特徴では、熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４２８】
本発明の特に好ましい特徴では、熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４２９】
本発明の特に好ましい特徴では、熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４３０】
本発明の特に好ましい特徴では、熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４３１】
本発明の特に好ましい特徴では、熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４３２】
本発明は、以下に記載される熱伝達組成物であって、潤滑剤が、冷媒及び潤滑剤の総量に対して２０重量％の量で存在し、混合物が、−４０℃〜＋８０℃の温度範囲にわたって１つの液体相を有する、熱伝達組成物を更に含み得る。
【０４３３】
本発明は、以下に記載される熱伝達組成物であって、潤滑剤が、冷媒及び潤滑剤の総量に対して５０重量％の量で存在し、混合物が、−４０℃〜＋８０℃の温度範囲にわたって１つの液体相を有する、熱伝達組成物を更に含み得る。
【０４３４】
本発明の特に好ましい特徴では、熱伝達組成物は、上記の冷媒と、ＰＯＥ潤滑剤と、を含み、潤滑剤は、冷媒及び潤滑剤の総量に対して５重量％の量で存在し、混合物は、−４０〜−２５℃の範囲及び／又は＋５０〜＋８０℃の範囲の少なくとも１つの温度の１つの液体相を有する。
【０４３５】
本発明の特に好ましい特徴では、熱伝達組成物は、上記の冷媒と、ＰＯＥ潤滑剤と、を含み、潤滑剤は、冷媒及び潤滑剤の総量に対して２０重量％の量で存在し、混合物は、−４０〜−２５℃の範囲及び／又は＋５０〜＋８０℃の範囲の少なくとも１つの温度の１つの液体相を有する。
【０４３６】
本発明の特に好ましい特徴では、熱伝達組成物は、上記の冷媒と、ＰＯＥ潤滑剤と、を含み、潤滑剤は、冷媒及び潤滑剤の総量に対して５０重量％の量で存在し、混合物は、−４０〜−２５℃の範囲及び／又は＋５０〜＋８０℃の範囲の少なくとも１つの温度の１つの液体相を有する。
【０４３７】
本発明の代替的な特に好ましい特徴では、熱伝達組成物は、上記の冷媒と、ＰＯＥ潤滑剤と、を含み、潤滑剤は、冷媒及び潤滑剤の総量に対して５重量％の量で存在し、混合物は、−４０〜−２５℃及び／又は＋５０〜＋８０℃の温度範囲にわたって１つの液体相を有する。
【０４３８】
本発明の代替的な特に好ましい特徴では、熱伝達組成物は、上記の冷媒と、ＰＯＥ潤滑剤と、を含み、潤滑剤は、冷媒及び潤滑剤の総量に対して２０重量％の量で存在し、混合物は、−４０〜−２５℃及び／又は＋５０〜＋８０℃の温度範囲にわたって１つの液体相を有する。
【０４３９】
本発明の代替的な特に好ましい特徴では、熱伝達組成物は、上記の冷媒と、ＰＯＥ潤滑剤と、を含み、潤滑剤は、冷媒及び潤滑剤の総量に対して５０重量％の量で存在し、混合物は、−４０〜−２５℃及び／又は＋５０〜＋８０℃の温度範囲にわたって１つの液体相を有する。
【０４４０】
本発明は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４４１】
本発明は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４４２】
本発明は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４４３】
本発明は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４４４】
本発明は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４４５】
本発明は、以下に記載される熱伝達組成物であって、潤滑剤が、冷媒及び潤滑剤の総量に対して２０重量％の量で存在し、混合物が、−４０℃〜＋８０℃の範囲の少なくとも１つの温度の１つの液体相を有する、熱伝達組成物を更に含み得る。
【０４４６】
本発明は、以下に記載される熱伝達組成物であって、潤滑剤が、冷媒及び潤滑剤の総量に対して５０重量％の量で存在し、混合物が、−４０℃〜＋８０℃の範囲の少なくとも１つの温度の１つの液体相を有する、熱伝達組成物を更に含み得る。
【０４４７】
本発明の特に好ましい特徴では、熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４４８】
本発明の特に好ましい特徴では、熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４４９】
本発明の特に好ましい特徴では、熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４５０】
本発明の特に好ましい特徴では、熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４５１】
本発明の特に好ましい特徴では、熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４５２】
本発明は、本明細書に記載される熱伝達組成物であって、潤滑剤が、冷媒及び潤滑剤の総量に対して２０重量％の量で存在し、混合物が、−４０℃〜＋８０℃の温度範囲にわたって１つの液体相を有する、熱伝達組成物を更に含み得る。
【０４５３】
本発明は、本明細書に記載される熱伝達組成物であって、潤滑剤が、冷媒及び潤滑剤の総量に対して５０重量％の量で存在し、混合物が、−４０℃〜＋８０℃の温度範囲にわたって１つの液体相を有する、熱伝達組成物を更に含み得る。
【０４５４】
本発明の特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃の範囲及び／又は＋５０〜＋８０℃の範囲の少なくとも１つの温度の１つの液体相を有する。
【０４５５】
本発明の特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃の範囲及び／又は＋５０〜＋８０℃の範囲の少なくとも１つの温度の１つの液体相を有する。
【０４５６】
本発明の特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃の範囲及び／又は＋５０〜＋８０℃の範囲の少なくとも１つの温度の１つの液体相を有する。
【０４５７】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃及び／又は＋５０〜＋８０℃の温度範囲にわたって１つの液体相を有する。
【０４５８】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃及び／又は＋５０〜＋８０℃の温度範囲にわたって１つの液体相を有する。
【０４５９】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃及び／又は＋５０〜＋８０℃の温度範囲にわたって１つの液体相を有する。
【０４６０】
本発明の特に好ましい特徴では、熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の範囲の少なくとも１つの温度の１つの液体相を有する、熱伝達組成物を更に提供する。
【０４６１】
本発明の特に好ましい特徴では、熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の範囲の少なくとも１つの温度の１つの液体相を有する、熱伝達組成物を更に提供する。
【０４６２】
本発明の特に好ましい特徴では、熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の範囲の少なくとも１つの温度の１つの液体相を有する、熱伝達組成物を更に提供する。
【０４６３】
本発明は、以下の３種の化合物のブレンドから本質的になる冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の範囲の少なくとも１つの温度の１つの液体相を有する、熱伝達組成物を更に提供する。
【０４６４】
本発明は、以下の３種の化合物のブレンドからなる冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４６５】
本発明は、本明細書に記載される熱伝達組成物であって、潤滑剤が、冷媒及び潤滑剤の総量に対して２０重量％の量で存在し、混合物が、−４０℃〜＋８０℃の範囲の少なくとも１つの温度の１つの液体相を有する、熱伝達組成物を更に含み得る。
【０４６６】
本発明は、本明細書に記載される熱伝達組成物であって、潤滑剤が、冷媒及び潤滑剤の総量に対して５０重量％の量で存在し、混合物が、−４０℃〜＋８０℃の範囲の少なくとも１つの温度の１つの液体相を有する、熱伝達組成物を更に含み得る。
【０４６７】
本発明の特に好ましい特徴では、熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４６８】
本発明の特に好ましい特徴では、熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４６９】
本発明の特に好ましい特徴では、熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４７０】
本発明の特に好ましい特徴では、熱伝達組成物は、以下の３種の化合物のブレンドから本質的になる冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４７１】
本発明の特に好ましい特徴では、熱伝達組成物は、以下の３種の化合物のブレンドからなる冷媒であって、以下の３種の化合物の総重量に基づく以下のパーセンテージで、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４７２】
本発明は、本明細書に記載される熱伝達組成物であって、潤滑剤が、冷媒及び潤滑剤の総量に対して２０重量％の量で存在し、混合物が、−４０℃〜＋８０℃の温度範囲にわたって１つの液体相を有する、熱伝達組成物を更に含み得る。
【０４７３】
本発明は、本明細書に記載される熱伝達組成物であって、潤滑剤が、冷媒及び潤滑剤の総量に対して５０重量％の量で存在し、混合物が、−４０℃〜＋８０℃の温度範囲にわたって１つの液体相を有する、熱伝達組成物を更に含み得る。
【０４７４】
本発明の特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃の範囲及び／又は＋５０〜＋８０℃の範囲の少なくとも１つの温度の１つの液体相を有する。
【０４７５】
本発明の特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃の範囲及び／又は＋５０〜＋８０℃の範囲の少なくとも１つの温度の１つの液体相を有する。
【０４７６】
本発明の特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃の範囲及び／又は＋５０〜＋８０℃の範囲の少なくとも１つの温度の１つの液体相を有する。
【０４７７】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃及び／又は＋５０〜＋８０℃の温度範囲にわたって１つの液体相を有する。
【０４７８】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃及び／又は＋５０〜＋８０℃の温度範囲にわたって１つの液体相を有する。
【０４７９】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃及び／又は＋５０〜＋８０℃の温度範囲にわたって１つの液体相を有する。
【０４８０】
ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）を含む冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４８１】
更に、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４８２】
更に、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４８３】
更に、ここに記載される冷媒のうちのいずれか１つによる冷媒であるが、好ましくは、以下の３種の化合物から本質的になる冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４８４】
更に、ここに記載される冷媒のうちのいずれか１つによる冷媒であるが、好ましくは、以下の３種の化合物からなる冷媒であって、以下の３種の化合物の総重量に基づく以下のパーセンテージで、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０４８５】
本発明は、本明細書に記載される熱伝達組成物であって、潤滑剤が、冷媒及び潤滑剤の総量に対して２０重量％の量で存在し、混合物が、−４０℃〜＋８０℃の範囲の少なくとも１つの温度の１つの液体相を有する、熱伝達組成物を更に含み得る。
【０４８６】
本発明は、本明細書に記載される熱伝達組成物であって、潤滑剤が、冷媒及び潤滑剤の総量に対して５０重量％の量で存在し、混合物が、−４０℃〜＋８０℃の範囲の少なくとも１つの温度の１つの液体相を有する、熱伝達組成物を更に含み得る。
【０４８７】
本発明の特に好ましい特徴では、熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約４２重量％〜約４８重量％のジフルオロメタン（ＨＦＣ−３２）、
約６．５重量％〜約１２．５重量％のペンタフルオロエタン（ＨＦＣ−１２５）、及び
約３９．５重量％〜約４５．５重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４８８】
本発明の特に好ましい特徴では、熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４２重量％〜約４８重量％のジフルオロメタン（ＨＦＣ−３２）、
約６．５重量％〜約１２．５重量％のペンタフルオロエタン（ＨＦＣ−１２５）、及び
約３９．５重量％〜約４５．５重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４８９】
本発明の特に好ましい特徴では、熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４２重量％〜約４８重量％のジフルオロメタン（ＨＦＣ−３２）、
約６．５重量％〜約１２．５重量％のペンタフルオロエタン（ＨＦＣ−１２５）、及び
約３９．５重量％〜約４５．５重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４９０】
本発明の特に好ましい特徴では、熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
約４２重量％〜約４８重量％のジフルオロメタン（ＨＦＣ−３２）、
約６．５重量％〜約１２．５重量％のペンタフルオロエタン（ＨＦＣ−１２５）、及び
約３９．５重量％〜約４５．５重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４９１】
本発明の特に好ましい特徴では、熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
約４２重量％〜約４８重量％のジフルオロメタン（ＨＦＣ−３２）、
約６．５重量％〜約１２．５重量％のペンタフルオロエタン（ＨＦＣ−１２５）、及び
約３９．５重量％〜約４５．５重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０４９２】
本発明は、本明細書に記載される熱伝達組成物であって、潤滑剤が、冷媒及び潤滑剤の総量に対して２０重量％の量で存在し、混合物が、−４０℃〜＋８０℃の温度範囲にわたって１つの液体相を有する、熱伝達組成物を更に含み得る。
【０４９３】
本発明は、本明細書に記載される熱伝達組成物であって、潤滑剤が、冷媒及び潤滑剤の総量に対して５０重量％の量で存在し、混合物が、−４０℃〜＋８０℃の温度範囲にわたって１つの液体相を有する、熱伝達組成物を更に含み得る。
【０４９４】
本発明の特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃の範囲及び／又は＋５０〜＋８０℃の範囲の少なくとも１つの温度の１つの液体相を有する。
【０４９５】
本発明の特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃の範囲及び／又は＋５０〜＋８０℃の範囲の少なくとも１つの温度の１つの液体相を有する。
【０４９６】
本発明の特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃の範囲及び／又は＋５０〜＋８０℃の範囲の少なくとも１つの温度の１つの液体相を有する。
【０４９７】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃及び／又は＋５０〜＋８０℃の温度範囲にわたって１つの液体相を有する。
【０４９８】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃及び／又は＋５０〜＋８０℃の温度範囲にわたって１つの液体相を有する。
【０４９９】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃及び／又は＋５０〜＋８０℃の温度範囲にわたって１つの液体相を有する。
【０５００】
本発明は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５０１】
本発明は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５０２】
本発明は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５０３】
本発明は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５０４】
本発明は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５０５】
本発明は、本明細書に記載される熱伝達組成物であって、潤滑剤が、冷媒及び潤滑剤の総量に対して２０重量％の量で存在し、混合物が、−４０℃〜＋８０℃の範囲の少なくとも１つの温度の１つの液体相を有する、熱伝達組成物を更に含み得る。
【０５０６】
本発明は、本明細書に記載される熱伝達組成物であって、潤滑剤が、冷媒及び潤滑剤の総量に対して５０重量％の量で存在し、混合物が、−４０℃〜＋８０℃の範囲の少なくとも１つの温度の１つの液体相を有する、熱伝達組成物を更に含み得る。
【０５０７】
本発明は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５０８】
本発明は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５０９】
本発明は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５１０】
本発明は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５１１】
本発明は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
約４３．５重量％〜約４８重量％のジフルオロメタン（ＨＦＣ−３２）、
約１０重量％〜約１２．５重量％のペンタフルオロエタン（ＨＦＣ−１２５）、及び
からなる約４０重量％〜約４４重量％のトリフルオロヨードメタン（ＣＦ３Ｉ）から本質的になる冷媒と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５１２】
本発明は、本明細書に記載される熱伝達組成物であって、潤滑剤が、冷媒及び潤滑剤の総量に対して２０重量％の量で存在し、混合物が、−４０℃〜＋８０℃の温度範囲にわたって１つの液体相を有する、熱伝達組成物を更に含み得る。
【０５１３】
本発明は、本明細書に記載される熱伝達組成物であって、潤滑剤が、冷媒及び潤滑剤の総量に対して５０重量％の量で存在し、混合物が、−４０℃〜＋８０℃の温度範囲にわたって１つの液体相を有する、熱伝達組成物を更に含み得る。
【０５１４】
本発明の特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃の範囲及び／又は＋５０〜＋８０℃の範囲の少なくとも１つの温度の１つの液体相を有する。
【０５１５】
本発明の特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃の範囲及び／又は＋５０〜＋８０℃の範囲の少なくとも１つの温度の１つの液体相を有する。
【０５１６】
本発明の特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃の範囲及び／又は＋５０〜＋８０℃の範囲の少なくとも１つの温度の１つの液体相を有する。
【０５１７】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃及び／又は＋５０〜＋８０℃の温度範囲にわたって１つの液体相を有する。
【０５１８】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃及び／又は＋５０〜＋８０℃の温度範囲にわたって１つの液体相を有する。
【０５１９】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃及び／又は＋５０〜＋８０℃の温度範囲にわたって１つの液体相を有する。
【０５２０】
本発明の特に好ましい特徴では、熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５２１】
本発明の特に好ましい特徴では、熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５２２】
本発明の特に好ましい特徴では、熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５２３】
本発明の特に好ましい特徴では、熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５２４】
本発明の特に好ましい特徴では、熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤は、冷媒及び潤滑剤の総量に対して５重量％の量で存在し、混合物は、−４０℃〜＋８０℃の範囲の少なくとも１つの温度の１つの液体相を有する。
【０５２５】
本発明は、本明細書に記載される熱伝達組成物であって、潤滑剤が、冷媒及び潤滑剤の総量に対して２０重量％の量で存在し、混合物が、−４０℃〜＋８０℃の範囲の少なくとも１つの温度の１つの液体相を有する、熱伝達組成物を更に含み得る。
【０５２６】
本発明は、本明細書に記載される熱伝達組成物であって、潤滑剤が、冷媒及び潤滑剤の総量に対して５０重量％の量で存在し、混合物が、−４０℃〜＋８０℃の範囲の少なくとも１つの温度の１つの液体相を有する、熱伝達組成物を更に含み得る。
【０５２７】
本発明の特に好ましい特徴では、熱伝達組成物は、ここに記載される冷媒のうちのいずれか１つによる冷媒であるが、好ましくは、少なくとも約９７重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５２８】
本発明の特に好ましい特徴では、熱伝達組成物は、ここに記載される冷媒のうちのいずれか１つによる冷媒であるが、好ましくは、少なくとも約９８．５重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５２９】
本発明の特に好ましい特徴では、熱伝達組成物は、ここに記載される冷媒のうちのいずれか１つによる冷媒であるが、好ましくは、少なくとも約９９．５重量％の以下の３種の化合物のブレンドを含む冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５３０】
本発明の特に好ましい特徴では、熱伝達組成物は、ここに記載される冷媒のうちのいずれか１つによる冷媒であるが、好ましくは、以下の３種の化合物のブレンドから本質的になる冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５３１】
本発明の特に好ましい特徴では、熱伝達組成物は、ここに記載される冷媒のうちのいずれか１つによる冷媒であるが、好ましくは、以下の３種の化合物のブレンドからなる冷媒であって、以下の３種の化合物の総重量に基づく以下のパーセンテージで、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる潤滑剤と、
ＰＯＥ潤滑剤と、を含み、潤滑剤が、冷媒及び潤滑剤の総量に対して５重量％の量で存在し、混合物が、−４０℃〜＋８０℃の温度範囲にわたって１つの液体相を有する、熱伝達組成物を提供する。
【０５３２】
本発明は、本明細書に記載される熱伝達組成物であって、潤滑剤が、冷媒及び潤滑剤の総量に対して２０重量％の量で存在し、混合物が、−４０℃〜＋８０℃の温度範囲にわたって１つの液体相を有する、熱伝達組成物を更に含み得る。
【０５３３】
本発明は、本明細書に記載される熱伝達組成物であって、潤滑剤が、冷媒及び潤滑剤の総量に対して５０重量％の量で存在し、混合物が、−４０℃〜＋８０℃の温度範囲にわたって１つの液体相を有する、熱伝達組成物を更に含み得る。
【０５３４】
本発明の特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃の範囲及び／又は＋５０〜＋８０℃の範囲の少なくとも１つの温度の１つの液体相を有する。
【０５３５】
本発明の特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃の範囲及び／又は＋５０〜＋８０℃の範囲の少なくとも１つの温度の１つの液体相を有する。
【０５３６】
本発明の特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃の範囲及び／又は＋５０〜＋８０℃の範囲の少なくとも１つの温度の１つの液体相を有する。
【０５３７】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５重量％の量で存在し、混合物は、−４０〜−２５℃及び／又は＋５０〜＋８０℃の温度範囲にわたって１つの液体相を有する。
【０５３８】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して２０重量％の量で存在し、混合物は、−４０〜−２５℃及び／又は＋５０〜＋８０℃の温度範囲にわたって１つの液体相を有する。
【０５３９】
本発明の代替的な特に好ましい特徴では、熱伝達組成物は、本明細書に記載される冷媒と、ＰＯＥ潤滑剤と、を含み、潤滑剤は、冷媒及び潤滑剤の総量に対して５０重量％の量で存在し、混合物は、−４０〜−２５℃及び／又は＋５０〜＋８０℃の温度範囲にわたって１つの液体相を有する。
【０５４０】
本発明の新規及び基本的な特徴から逸脱することなく、本明細書に含まれる教示を考慮して、本明細書において言及されていない他の添加剤もまた含まれ得る。
【０５４１】
また、参照により組み込まれている米国特許第６，５１６，８３７号に開示されるように、油溶性を補助するために、界面活性剤及び可溶化剤の組み合わせが本発明の組成物に添加されてもよい。
【０５４２】
出願人らは、本発明の組成物が、とりわけ低いＧＷＰを含む、達成するのが困難な特性の組み合わせを達成することができることを見出した。したがって、本発明の組成物は、約１５００以下、好ましくは約１０００以下、より好ましくは約７５０以下の地球温暖化係数（ＧＷＰ）を有する。本発明の特に好ましい特徴では、本発明の組成物は、約７５０以下の地球温暖化係数（ＧＷＰ）を有する。
【０５４３】
更に、本発明の組成物は、低いオゾン破壊係数（Ｏｚｏｎｅ  Ｄｅｐｌｅｔｉｏｎ  Ｐｏｔｅｎｔｉａｌ、ＯＤＰ）を有する。したがって、本発明の組成物は、約０．０５以下、好ましくは約０．０２以下、より好ましくは約ゼロのオゾン破壊係数（ＯＤＰ）を有する。
【０５４４】
更に、本発明の組成物は、許容可能な毒性を示し、好ましくは約４００より大きい職業暴露限界（Ｏｃｃｕｐａｔｉｏｎａｌ  Ｅｘｐｏｓｕｒｅ  Ｌｉｍｉｔ、ＯＥＬ）を有する。
【０５４５】
本明細書に開示される組成物は、空調、冷凍、及びヒートポンプを含む熱伝達用途における使用のために提供される。
【０５４６】
本発明の熱伝達組成物のいずれかへの任意の言及は、本明細書に記載される熱伝達組成物の各々いずれかを指す。したがって、本発明の組成物の使用又は用途の以下の考察について、熱伝達組成物は、本明細書に記載される冷媒のいずれかを含み得るか、又はそれから本質的になり得る。
【０５４７】
本発明の目的では、本明細書に記載される熱伝達組成物は各々いずれも、空調システム、冷凍システム、又はヒートポンプなどの熱伝達システムにおいて使用され得る。本発明による熱伝達システムには、互いに接続した圧縮機、蒸発器、凝縮器、及び拡張デバイスが含まれ得る。
【０５４８】
一般的に使用される圧縮機の例としては、本発明の目的では、往復動式、回転式（ローリングピストン及び回転弁を含む）、スクロール式、ねじ式、及び遠心式圧縮機が挙げられる。したがって、本発明は、往復動式、回転式（ローリングピストン及び回転弁を含む）、スクロール式、ねじ式、又は遠心式圧縮機を含む熱伝達システムにおける使用のための、本明細書に記載される冷媒及び／又は熱伝達組成物の各々を提供する。
【０５４９】
一般的に使用される拡張デバイスの例としては、本発明の目的では、キャピラリーチューブ、固定オリフィス、温度膨張弁、及び電子膨張弁が挙げられる。したがって、本発明は、キャピラリーチューブ、固定オリフィス、温度膨張弁、及び電子膨張弁を含む熱伝達システムにおける使用のための、本明細書に記載される冷媒及び／又は熱伝達組成物の各々を提供する。
【０５５０】
本発明の目的では、蒸発器及び凝縮器は、好ましくはフィンチューブ型熱交換器、マイクロチャネル熱交換器、シェルアンドチューブ式、プレート式熱交換器、及びチューブインチューブ式（ｔｕｂｅ−ｉｎ−ｔｕｂｅ）熱交換器から選択される熱交換器を一緒に形成する。したがって、本発明は、蒸発器及び凝縮器が、フィンチューブ型熱交換器、マイクロチャネル熱交換器、シェルアンドチューブ式、プレート式熱交換器、又はチューブインチューブ式熱交換器を一緒に形成する熱伝達システムにおける使用のための、本明細書に記載される冷媒及び／又は熱伝達組成物の各々を提供する。
【０５５１】
本発明の熱伝達組成物は、加熱及び冷却用途に使用することができる。
【０５５２】
本発明の特定の特徴では、熱伝達組成物は、熱伝達組成物を凝縮することと、その後冷却される物品又は本体の付近で当該組成物を蒸発させることとを含む冷却方法に使用することができる。
【０５５３】
したがって、本発明は、蒸発器及び圧縮機を含む熱伝達システムにおける冷却方法であって、ｉ）本明細書に記載される熱伝達組成物を凝縮するステップと、
ｉｉ）冷却される本体又は物品の付近で組成物を蒸発させるステップと、を含み、
熱伝達システムの蒸発器温度が、約−４０℃〜約＋１０℃である、冷却方法に関する。
【０５５４】
代替的には、又は更には、熱伝達組成物は、加熱される物品又は本体の付近で熱伝達組成物を凝縮することと、その後、当該組成物を蒸発させることとを含む加熱方法に使用することができる。
【０５５５】
したがって、本発明は、蒸発器及び圧縮機を含む熱伝達システムにおける加熱方法であって、ｉ）加熱される本体又は物品の付近で本明細書に記載される熱伝達組成物を凝縮するステップと、
ｉｉ）組成物を蒸発させるステップと、を含み、
熱伝達システムの蒸発器温度が、約−３０℃〜約＋５℃の範囲内である、加熱方法に関する。
【０５５６】
本発明の熱伝達組成物は、モバイル及び定置型空調用途の両方を含む空調用途における使用のために提供される。したがって、本明細書に記載される熱伝達組成物は、
−モバイル空調、特に自動車用空調を含む、空調用途、
−モバイルヒートポンプ、特に電気自動車用ヒートポンプ；
−冷却器、特に容積型冷却器、とりわけ空冷又は水冷直接膨張式冷却器（モジュラー式であるか又は従来法で単独包装されているかのいずれか）
−住宅用空調システム、特にダクトスプリット型又はダクトレススプリット型空調システム、
−住宅用ヒートポンプ、
−住宅用空気−水ヒートポンプ／温水システム、
−産業用空調システム、
−パッケージ式ルーフトップユニット又は可変冷媒流（ｖａｒｉａｂｌｅ  ｒｅｆｒｉｇｅｒａｎｔ  ｆｌｏｗ、ＶＲＦ）システム；
−商用の空気熱源、水熱源、又は土壌熱源ヒートポンプシステム、のうちのいずれか１つにおいて使用され得る。
【０５５７】
本発明の熱伝達組成物は、冷凍システムにおける使用のために提供される。「冷凍システム」という用語は、冷却を提供するために冷媒を用いる任意のシステム若しくは装置、又はかかるシステム若しくは装置の任意の部品若しくは部分を指す。したがって、本明細書に記載される熱伝達組成物は、
−低温冷凍システム、
−中温冷凍システム、
−商用冷蔵庫、
−商用冷凍庫、
−製氷機、
−自動販売機、
−輸送冷凍システム、
−家庭用冷凍庫、
−家庭用冷蔵庫、
−産業用冷凍庫、
−産業用冷蔵庫、及び
−冷却器、のうちのいずれか１つにおいてＲ１０Ａに代わるために使用され得る。
【０５５８】
本明細書に記載される熱伝達組成物の各々は、住宅用空調システム（冷却のために約０〜約１０℃の範囲、特に約７℃、及び／又は加熱のために約−２０〜約３℃の範囲、特に約０．５℃の蒸発器温度を有する）における使用のために特に提供される。代替的には、又は更には、本明細書に記載される熱伝達組成物の各々は、往復動式、回転式（ローリングピストン又は回転弁）、又はスクロール式圧縮機を有する住宅用空調システムにおける使用のために特に提供される。
【０５５９】
本明細書に記載される熱伝達組成物の各々は、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器における使用のために特に提供される。
【０５６０】
本明細書に記載される熱伝達組成物の各々は、住宅用空気−水温水システム（約−２０〜約３°Ｃの範囲、特に約０．５℃の蒸発器温度を有するか、又は約−３０〜約５℃の範囲、特に約０．５℃の蒸発器温度を有する）における使用のために特に提供される。
【０５６１】
本明細書に記載される熱伝達組成物の各々は、中温冷凍システム（約−１２〜約０℃の範囲、特に約−８℃の蒸発器温度を有する）における使用のために特に提供される。
【０５６２】
本明細書に記載される熱伝達組成物の各々は、低温冷凍システム（約−４０〜約−１２℃の範囲、特に約−２３℃、又は好ましくは約−３２℃の蒸発器温度を有する）における使用のために特に提供される。
【０５６３】
したがって、本発明の熱伝達組成物は、住宅用空調システムにおける使用のために提供され、住宅用空調システムは、例えば、夏季に冷気（当該空気は、例えば、約１０℃〜約１７℃、特に約１２℃の温度を有する）を建物に供給するために使用される。典型的なシステムの種類は、スプリット型、ミニスプリット型、及びウィンドウ型、ダクトスプリット型、ダクトレススプリット型、ウィンドウ型、及びポータブル型空調システムである。システムは通常、空気−冷媒蒸発器（室内コイル）、圧縮機、空気−冷媒凝縮器（室外コイル）、及び膨張弁を有する。蒸発器及び凝縮器は通常、丸管プレートフィン、フィンチューブ、又はマイクロチャネル熱交換器である。圧縮機は通常、往復動式、又は回転式（ローリングピストン又は回転弁）、又はスクロール式圧縮機である。膨張弁は通常、キャピラリーチューブ、温度膨張弁、又は電子膨張弁である。冷媒蒸発温度は、好ましくは０〜１０℃の範囲内である。凝縮温度は、好ましくは４０〜７０℃の範囲内である。
【０５６４】
本発明の熱伝達組成物は、住宅用ヒートポンプシステムにおける使用のために提供され、住宅用ヒートポンプシステムは、冬季に温風（当該空気は、例えば、約１８℃〜約２４℃、特に約２１℃の温度を有する）を建物に供給するために使用される。これは通常、住宅用空調システムと同じシステムであるが、ヒートポンプシステムでは冷媒流が反転し、室内コイルが凝縮器となり、室外コイルが蒸発器となる。典型的なシステムの種類は、スプリット型及びミニスプリット型ヒートポンプシステムである。蒸発器及び凝縮器は通常、丸管プレートフィン、フィン式、又はマイクロチャネル熱交換器である。圧縮機は通常、往復動式、又は回転式（ローリングピストン又は回転弁）、又はスクロール式圧縮機である。膨張弁は通常、温度膨張弁又は電子膨張弁である。冷媒蒸発温度は、好ましくは約−２０〜約３℃又は約−３０〜約５℃の範囲内である。凝縮温度は、好ましくは約３５〜約５０℃の範囲内である。
【０５６５】
本発明の熱伝達組成物は、商用空調システムにおける使用のために提供され、商用空調システムは、オフィス及び病院などの大きな建物に冷水（当該水は、例えば約７℃の温度を有する）を供給するために使用される冷却器であり得る。用途に応じて、冷却器システムは通年稼働している場合がある。冷却器システムは、空冷式又は水冷式であり得る。空冷式冷却器は通常、冷水を供給するためのプレート、チューブインチューブ式、又はシェルインチューブ式蒸発器、往復動式又はスクロール式圧縮機、熱を周囲空気と交換するための丸管プレートフィン、フィンチューブ式、又はマイクロチャネル凝縮器、及び温度膨張弁又は電子膨張弁を有する。水冷式システムは通常、冷水を供給するためのシェルアンドチューブ式蒸発器、往復動式、スクロール式、ねじ式、又は遠心式圧縮機、熱を冷却塔又は湖、海、及び他の天然源からの水と交換するためのシェルアンドチューブ式凝縮器、並びに温度膨張弁又は電子膨張弁を有する。冷媒蒸発温度は、好ましくは約０〜約１０℃の範囲内である。凝縮温度は、好ましくは約４０〜約７０℃の範囲内である。
【０５６６】
本発明の熱伝達組成物は、住宅用空気−水ヒートポンプ温水システムにおける使用のために提供され、住宅用空気−水ヒートポンプ温水システムは、冬季に床暖房又は同様の用途のために温水（当該水は、例えば、約５０℃又は約５５℃の温度を有する）を建物に供給するために使用される。温水システムは通常、熱を周囲空気と交換するための丸管プレートフィン、フィンチューブ式、又はマイクロチャネル蒸発器、往復動式、スクロール式、又は回転式圧縮機、水を加熱するためのプレート、チューブインチューブ式、又はシェルアンドチューブ式凝縮器、及び温度膨張弁又は電子膨張弁を有する。冷媒蒸発温度は、好ましくは約−２０〜約３℃又は−３０〜約５℃の範囲内である。凝縮温度は、好ましくは約５０〜約９０℃の範囲内である。
【０５６７】
本発明の熱伝達組成物は、中温冷凍システムにおける使用のために提供され、中温冷凍システムは、好ましくは、冷蔵庫又はボトルクーラーなどにおいて食べ物又は飲み物を冷やすために使用される。システムは通常、食べ物又は飲み物を冷やすための空気−冷媒蒸発器、往復動式、スクロール式、又はねじ式、又は回転式圧縮機、熱を周囲空気と交換するための空気−冷媒凝縮器、及び温度膨張弁又は電子膨張弁を有する。冷媒蒸発温度は、好ましくは約−１２〜約０°Ｃの範囲内である。凝縮温度は、好ましくは約４０〜約７０℃又は約２０〜約７０℃の範囲内である。
【０５６８】
本発明の熱伝達組成物は、低温冷凍システムにおける使用のために提供され、当該低温冷凍システムは、好ましくは、冷凍庫又はアイスクリーム製造機において使用される。システムは通常、食べ物又は飲み物を冷やすための空気−冷媒蒸発器、往復動式、スクロール式、又は回転式圧縮機、熱を周囲空気と交換するための空気−冷媒凝縮器、及び温度膨張弁又は電子膨張弁を有する。冷媒蒸発温度は、好ましくは約−４０〜約−１２°Ｃの範囲内である。凝縮温度は、好ましくは約４０〜約７０℃又は約２０〜約７０℃の範囲内である。
【０５６９】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０５７０】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０５７１】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０５７２】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０５７３】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０５７４】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージは、ブレンド中の３種の化合物の総重量に基づく、冷媒を含む熱伝達組成物の、定置型空調、特に住宅用空調、産業用空調、又は商用空調における使用を提供する。
【０５７５】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージは、ブレンド中の３種の化合物の総重量に基づく、冷媒を含む熱伝達組成物の、定置型空調、特に住宅用空調、産業用空調、又は商用空調における使用を提供する。
【０５７６】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０５７７】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０５７８】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０５７９】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８０】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８１】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８２】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８３】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８４】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０５８５】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８６】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８７】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８８】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の冷却器における使用を提供する。
【０５８９】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９０】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９１】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９２】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９３】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９４】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９５】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９６】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９７】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９８】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の冷却器における使用を提供する。
【０５９９】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６００】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０１】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０２】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０３】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０４】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０５】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０６】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０７】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０８】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の冷却器における使用を提供する。
【０６０９】
本発明の目的では、上記の熱伝達組成物は、約０〜約１０℃の範囲の蒸発温度及び約４０〜約７０℃の凝縮温度を有する冷却器における使用のために提供される。冷却器は、空調又は冷凍における使用のため、好ましくは冷凍のために提供される。冷却器は、好ましくは容積型冷却器、とりわけ空冷又は水冷直接膨張式冷却器（モジュラー式であるか又は従来法で単独包装されているかのいずれか）である。
【０６１０】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６１１】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６１２】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６１３】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６１４】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６１５】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージは、ブレンド中の３種の化合物の総重量に基づく、冷媒を含む熱伝達組成物の、定置型空調、特に住宅用空調、産業用空調、又は商用空調における使用を提供する。
【０６１６】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージは、ブレンド中の３種の化合物の総重量に基づく、冷媒を含む熱伝達組成物の、定置型空調、特に住宅用空調、産業用空調、又は商用空調における使用を提供する。
【０６１７】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６１８】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６１９】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６２０】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６２１】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６２２】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６２３】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６２４】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６２５】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６２６】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６２７】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６２８】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６２９】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６３０】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３１】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３２】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３３】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３４】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３５】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３６】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３７】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３８】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６３９】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、定置型空調、特に住宅用空調、産業用空調、又は商用空調における使用を提供する。
【０６４０】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４１】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４２】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４３】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４４】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４５】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４６】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４７】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４８】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６４９】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、定置型空調、特に住宅用空調、産業用空調、又は商用空調における使用を提供する。
【０６５０】
本発明は更に、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６５１】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６５２】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６５３】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６５４】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６５５】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージは、ブレンド中の３種の化合物の総重量に基づく、冷媒を含む熱伝達組成物の、定置型空調、特に住宅用空調、産業用空調、又は商用空調における使用を提供する。
【０６５６】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、を含む熱伝達組成物の、商用冷凍、特に商用冷蔵庫、商用冷凍庫、製氷機、又は自動販売機における使用を提供する。
【０６５７】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６５８】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６５９】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒を含む熱伝達組成物の、商用冷凍、特に商用冷蔵庫、商用冷凍庫、製氷機、又は自動販売機における使用を提供する。
【０６６０】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６１】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６２】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６３】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６４】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６５】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６６】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６７】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６８】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６６９】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６７０】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７１】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７２】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７３】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７４】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７５】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７６】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７７】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７８】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６７９】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物の、商用冷凍、特に商用冷蔵庫、商用冷凍庫、製氷機、又は自動販売機における使用を提供する。
【０６８０】
したがって、本発明は、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８１】
したがって、本発明は、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８２】
したがって、本発明は、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８３】
したがって、本発明は、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８４】
したがって、本発明は、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８５】
したがって、本発明は、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８６】
したがって、本発明は、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８７】
したがって、本発明は、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８８】
したがって、本発明は、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６８９】
したがって、本発明は、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含む熱伝達組成物の、商用冷凍、特に商用冷蔵庫、商用冷凍庫、製氷機、又は自動販売機における使用を提供する。
【０６９０】
上記の使用の目的では、安定化剤組成物は、ファルネセン、ジフェニルホスファイト、及びＢＨＴを含み得る。代替的には、安定化剤組成物は、ＢＨＴを含み得る。好ましくは、安定化剤組成物は、ファルネセン、ジフェニルホスファイト、及びＢＨＴから本質的になる。好ましくは、安定化剤組成物は、ＢＨＴから本質的になる。好ましくは、安定化剤組成物は、ファルネセン、ジフェニルホスファイト、及びＢＨＴからなる。好ましくは、安定化剤組成物は、ＢＨＴからなる。
【０６９１】
本明細書に開示される熱伝達組成物は、冷媒Ｒ−４１０Ａの低地球温暖化（ＧＷＰ）代替品として提供される。したがって、熱伝達組成物は、既存のシステムの設計変更を必要とするなく、とりわけ凝縮器、蒸発器、及び／又は膨張弁の変更を伴わずに、Ｒ−４１０Ａ冷媒を含有するように設計されているか、又はそれを含有する既存の熱伝達システムを追加導入する方法に使用することができる。
【０６９２】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を本発明の組成物又は冷媒に置き換えることを含む。
【０６９３】
既存の熱伝達システムがＲ−４１０Ａとの使用に好適である場合、この方法は、任意の既存の冷媒（Ｒ−４１０Ａであり得るがこれに限定されない）を取り出し、本発明の組成物又は冷媒を導入することを含む。
【０６９４】
代替的には、熱伝達組成物又は冷媒は、Ｒ４１０Ａ冷媒を含有するように設計されているか又はそれを含有する既存の熱伝達システムを追加導入する方法に使用することができ、システムは、本発明の冷媒用に変更される。
【０６９５】
代替的には、熱伝達組成物又は冷媒は、Ｒ−４１０Ａ冷媒との使用に好適である熱伝達システムにおいて使用することができる。
【０６９６】
熱伝達組成物がＲ−４１０Ａの低地球温暖化代替品として使用されるか、又はＲ−４１０Ａ冷媒を含有するように設計されているか若しくはそれを含有する既存の熱伝達システムを追加導入する方法に使用されるか、又はＲ−４１０Ａとの使用に好適である熱伝達システムに使用される場合、熱伝達組成物が本発明の冷媒から本質的になり得ることが理解されよう。代替的には、本発明は、Ｒ−４１０Ａの低地球温暖化代替品としての本発明の冷媒の使用を包含するか、又はＲ−４１０Ａ冷媒を含有するように設計されているか若しくはそれを含有する既存の熱伝達システムを追加導入する方法に使用されるか、又は本明細書に記載されるようにＲ−４１０Ａとの使用に好適である熱伝達システムに使用される。
【０６９７】
熱伝達組成物が上記のように既存の熱伝達システムを追加導入する方法における使用のために提供するとき、当業者であれば理解されよう。
【０６９８】
上記のように、この方法は、既存のＲ−４１０Ａ冷媒の少なくとも一部をシステムから取り出すことを含む。好ましくは、この方法は、少なくとも約５重量％、約１０重量％、約２５重量％、約５０重量％、又は約７５重量％のＲ−４１０Ａをシステムから取り出し、それを本発明の熱伝達組成物に置き換えることを含む。
【０６９９】
本発明の組成物は、既存の又は新規の熱伝達システムなどの、Ｒ−４１０Ａ冷媒と共に使用されるか又はそれとの使用に好適であるシステムにおいて用いられ得る。
【０７００】
本発明の組成物は、Ｒ−４１０Ａの所望の特性の多くを示すが、Ｒ−４１０Ａよりも実質的に低いＧＷＰを有し、同時に、Ｒ−４１０Ａと実質的に同様であるか又はそれと実質的に一致し、より好ましくはそれと同等に高いか又はそれよりも高い動作特性、すなわち能力及び／又は効率（ｃａｐａｃｉｔｙ  ａｎｄ／ｏｒ  ｅｆｆｉｃｉｅｎｃｙ、ＣＯＰ）を有する。これにより、例えば凝縮器、蒸発器、及び／又は膨張弁の大きなシステム変更を一切必要とすることなく、既存の熱伝達システムにおいて特許請求される組成物がＲ−４１０Ａに代わることが可能となる。したがって、組成物は、Ｒ−４１０Ａと共に使用されているか又はそれとの使用に好適である熱交換システムの追加導入において直接的な代替品として使用され得る。
【０７０１】
したがって、本発明の組成物がＲ−４１０Ａに代わる熱伝達システムにおいて、本発明の組成物は、好ましくは、Ｒ−４１０Ａと比較した動作特性を示し、
−組成物の効率（ＣＯＰ）は、Ｒ−４１０Ａの効率の９５〜１０５％であり、かつ／又は
−能力は、Ｒ−４１０Ａの能力の９５〜１０５％である。
【０７０２】
好ましくは、本発明の組成物がＲ−４１０Ａに代わる熱伝達システムにおいて、本発明の組成物は、好ましくは、Ｒ−４１０Ａと比較した動作特性を示し、
−組成物の効率（ＣＯＰ）は、Ｒ−４１０Ａの効率の１００〜１０５％であり、かつ／又は
−能力は、Ｒ−４１０Ａの能力の９８〜１０５％である。
【０７０３】
「ＣＯＰ」という用語は、エネルギー効率の尺度であり、冷凍又は冷却能力対冷凍システムのエネルギー必要量、すなわち圧縮機、ファンなどを動かすためのエネルギーの割合を意味する。ＣＯＰは冷凍システムの有用な出力であり、この場合、冷凍能力又はどれ程の冷却が提供されているかを、この出力を得るために必要な電力で割ったものである。本質的に、これはシステムの効率の尺度である。
【０７０４】
「能力」という用語は、冷凍システムにおいて冷媒によって提供される冷却の量（ＢＴＵ／ｈｒ）である。これは、冷媒が蒸発器を通る際の冷媒のエンタルピー（ＢＴＵ／ｌｂ）の変化を、冷媒の質量流量で乗じることによって実験的に決定される。エンタルピーは、冷媒の圧力及び温度の測定から決定することができる。凍システムの能力は、冷却される領域を特定の温度に維持する能力に関連する。
【０７０５】
「質量流量」という用語は、所与の時間で所与の大きさの導管を通過する冷媒の量（「ポンド」）である。
【０７０６】
熱伝達システムの信頼性を維持するために、本発明の組成物がＲ−４１０Ａ冷媒に代わって使用される熱伝達システムにおいて、本発明の組成物がＲ−４１０と比較して以下の特性を更に示すことが好ましい：
−吐出温度は、Ｒ−４１０Ａの吐出温度よりも１０℃以上高くない、かつ／又は
−圧縮機圧力比は、Ｒ−４１０Ａの圧縮機圧力比の９５〜１０５％である。
【０７０７】
Ｒ−４１０Ａは、共沸様組成物であることが理解されよう。したがって、特許請求される組成物がＲ−４１０Ａの動作特性について良好な一致となるために、特許請求される組成物は、低い勾配レベルを示すことが望ましい。したがって、特許請求される発明の組成物は、２℃未満、好ましくは１．５℃未満の蒸発器勾配を提供し得る。
【０７０８】
Ｒ−４１０Ａと共に使用される既存の熱伝達組成物は、好ましくは、モバイル及び定置型空調システムの両方を含む空調熱伝達システムである。したがって、本明細書に記載される熱伝達組成物の各々は、
−モバイル空調システム、特に自動車用空調システムを含む、空調システム、
−モバイルヒートポンプ、特に電気自動車用ヒートポンプ；
−冷却器、特に容積型冷却器、とりわけ空冷又は水冷直接膨張式冷却器（モジュラー式であるか又は従来法で単独包装されているかのいずれか）
−住宅用空調システム、特にダクトスプリット型又はダクトレススプリット型空調システム、
−住宅用ヒートポンプ、
−住宅用空気−水ヒートポンプ／温水システム、
−産業用空調システム、並びに
−パッケージ式ルーフトップユニット又は可変冷媒流（ＶＲＦ）システム；
−商用の空気熱源、水熱源、又は土壌熱源ヒートポンプシステム、のうちのいずれか１つにおいてＲ−４１０Ａに代わるために使用され得る。
【０７０９】
本発明の組成物は、冷凍システムにおいてＲ４１０Ａに代わるために代替的に提供される。したがって、本明細書に記載される熱伝達組成物の各々は、
−低温冷凍システム、
−中温冷凍システム、
−商用冷蔵庫、
−商用冷凍庫、
−製氷機、
−自動販売機、
−輸送冷凍システム、
−家庭用冷凍庫、
−家庭用冷蔵庫、
−産業用冷凍庫、
−産業用冷蔵庫、及び
−冷却器、のうちのいずれか１つにおいてＲ１０Ａに代わるために使用され得る。
【０７１０】
本明細書に記載される熱伝達組成物の各々は、住宅用空調システム（冷却のために約０〜約１０℃の範囲、特に約７℃、及び／又は加熱のために約−２０〜約３℃又は３０〜約５℃の範囲、特に約０．５℃の蒸発器温度を有する）においてＲ−４１０Ａに代わるために特に提供される。代替的には、又は更には、本明細書に記載される熱伝達組成物の各々は、往復動式、回転式（ローリングピストン又は回転弁）、又はスクロール式圧縮機を有する住宅用空調システムにおいてＲ−４１０Ａに代わるために特に提供される。
【０７１１】
本明細書に記載される熱伝達組成物の各々は、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器においてＲ−４１０Ａに代わるために特に提供される。
【０７１２】
本明細書に記載される熱伝達組成物の各々は、住宅用空気−水温水システム（約−２０〜約３℃の範囲又は約−３０〜約５℃の範囲、特に約０．５℃の蒸発器温度を有する）においてＲ−４１０Ａに代わるために特に提供される。
【０７１３】
本明細書に記載される熱伝達組成物の各々は、中温冷凍システム（約−１２〜約０℃の範囲、特に約−８℃の蒸発器温度を有する）においてＲ−４１０Ａに代わるために特に提供される。
【０７１４】
本明細書に記載される熱伝達組成物の各々は、低温冷凍システム（約−４０〜約−１２℃の範囲、特に約−２３℃、又は好ましくは約−３２℃の蒸発器温度を有する）においてＲ−４１０Ａに代わるために特に提供される。
【０７１５】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７１６】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７１７】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７１８】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７１９】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７２０】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７２１】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７２２】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７２３】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７２４】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン、ジフェニルホスファイト、及びＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、を含む熱伝達組成物に置き換えることを含む。
【０７２５】
代替的には、したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７２６】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７２７】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７２８】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７２９】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７３０】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７３１】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７３２】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７３３】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７３４】
したがって、Ｒ−４１０Ａ冷媒を含有するように設計されているか若しくはそれを含有するか、又はＲ−４１０Ａ冷媒との使用に好適である既存の熱伝達システムを追加導入する方法が提供され、当該方法は、既存のＲ−４１０Ａ冷媒の少なくとも一部を、冷媒であって、３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、任意に、ＢＨＴを含む安定化組成物であって、ＢＨＴが熱伝達組成物の重量に基づいて約０．００１重量％〜約５重量％の量で提供される、安定化剤組成物と、を含む熱伝達組成物に置き換えることを含む。
【０７３５】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは少なくとも約９７重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７３６】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは少なくとも約９８．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７３７】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは少なくとも約９９．５重量％の３種の化合物のブレンドを含み、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７３８】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは３種の化合物のブレンドから本質的になり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７３９】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは３種の化合物のブレンドからなり、当該ブレンドが、
約５０重量％のジフルオロメタン（ＨＦＣ−３２）、約１１．５重量％のペンタフルオロエタン（ＨＦＣ−１２５）、及び約３８．５重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７４０】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは少なくとも約９７重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７４１】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは少なくとも約９８．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７４２】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは少なくとも約９９．５重量％の３種の化合物のブレンドを含み、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７４３】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは３種の化合物のブレンドから本質的になり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。
【０７４４】
本発明は更に、流体連通している圧縮機、凝縮器、及び蒸発器と、当該システム中の熱伝達組成物と、を含む熱伝達システムを提供し、当該熱伝達組成物は、ここに記載される冷媒のうちのいずれか１つによる冷媒であるが、好ましくは３種の化合物のブレンドからなり、当該ブレンドが、
約４６重量％のジフルオロメタン（ＨＦＣ−３２）、約１２重量％のペンタフルオロエタン（ＨＦＣ−１２５）、及び約４２重量％のトリフルオロヨードメタン（ＣＦ３Ｉ）からなり、
これらのパーセンテージが、ブレンド中の３種の化合物の総重量に基づく、冷媒と、ファルネセン及びジフェニルホスファイト及び／又はＢＨＴを含む安定化剤組成物であって、ファルネセンが熱伝達組成物の重量に基づいて約０．００１重量％〜約５重量％の量で提供され、ジフェニルホスフェートが熱伝達組成物の重量に基づいて約０．００１重量％〜約５重量％の量で提供され、ＢＨＴが熱伝達組成物の重量に基づいて約０．００１重量％〜約５重量％の量で提供される、安定化剤組成物と、熱伝達組成物の重量に基づいて１０〜６０重量％のポリオールエステル（ＰＯＥ）潤滑剤と、を含み、当該凝縮器は、＋２０℃〜＋７０℃の動作温度を有し、当該蒸発器は、−４０℃〜＋１０℃の動作温度を有する。熱伝達システムは、好ましくは、空調システム、例えば、モバイル空調システム、特に自動車用空調システム、モバイルヒートポンプ、特に電気自動車用ヒートポンプ、冷却器、特に容積型冷却器、とりわけ空冷又は水冷直接膨張式冷却器（これはモジュラー式であり得るか又は従来法で単独包装され得る）、住宅用空調システム、特にダクトスプリット型及びダクトレススプリット型空調システム、住宅用ヒートポンプ、住宅用空気−水ヒートポンプ／温水システム  産業用空調システム、商用空調システム、特にパッケージ式ルーフトップユニット又は可変冷媒流システム、並びに商用の空気熱源、水熱源、又は土壌熱源ヒートポンプシステムである。
【０７４５】
特に、熱伝達システムは、住宅用空調システム（冷却のために約０〜約１０℃の範囲、特に約７℃、及び／又は加熱のために約−２０〜約３℃若しくは約−３０〜約５℃の範囲、特に約０．５℃の蒸発器温度を有する）である。
【０７４６】
特に、熱伝達システムは、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器である。
【０７４７】
特に、熱伝達システムは、住宅用空気−水温水システム（約−２０〜約３℃の範囲又は約−３０〜約５℃の範囲、特に約０．５℃の蒸発器温度を有する）である。
【０７４８】
熱伝達システムは、冷凍システム、例えば、低温冷凍システム、中温冷凍システム、商用冷蔵庫、商用冷凍庫、製氷機、自動販売機、輸送冷凍システム、家庭用冷凍庫、家庭用冷蔵庫、産業用冷凍庫、及び冷却器であり得る。
【０７４９】
特に、熱伝達システムは、中温冷凍システム（約−１２〜約０℃の範囲、特に約−８℃の蒸発器温度を有する）である。
【０７５０】
特に、熱伝達システムは、低温冷凍システム（約−４０〜約−１２℃の範囲、特に約−２３℃、又は好ましくは約−３２℃の蒸発器温度を有する）である。
【０７５１】
Ｒ−４１０Ａの動作条件と一致する本発明の冷媒組成物の能力は、以下の非限定的な実施形態によって例証される。
実施例
【０７５２】
以下の冷媒組成物を、いくつかの冷凍システムにおけるそれらの性能について評価した。
【０７５３】
各組成物を熱力学的分析に供して、様々な冷凍システムにおいてＲ−４１０Ａの動作特性と一致するその能力を判定した。二成分対の特性について収集した実験データを使用して分析を実施した。一連のＨＦＣ−３２及びＨＦＣ−１２５との二成分対におけるＣＦ３Ｉの気液平衡挙動を調査した。実験的評価において、各二成分対について組成物は０％〜１００％変動した。各二成分対の混合パラメータを実験で得られたデータに回帰させ、パラメータをＮａｔｉｏｎａｌ  Ｉｎｓｔｉｔｕｔｅ  ｏｆ  Ｓｃｉｅｎｃｅ  ａｎｄ  Ｔｅｃｈｎｏｌｏｇｙ（ＮＩＳＴ）Ｒｅｆｅｒｅｎｃｅ  Ｆｌｕｉｄ  Ｔｈｅｒｍｏｄｙｎａｍｉｃ  ａｎｄ  Ｔｒａｎｓｐｏｒｔ  Ｐｒｏｐｅｒｔｉｅｓ  Ｄａｔａｂａｓｅ（Ｒｅｆｐｒｏｐ  ９．１  ＮＩＳＴ  Ｓｔｄ  Ｄａｔａｂａｓｅ，２０１３）にも組み込んだ。Ｒｅｆｐｒｏｐ  ９．１で既に利用可能な標準混合パラメータを他の二成分対に使用した。分析を行うために使用した仮定は以下の通りである：全ての冷媒について同じ圧縮機容積、全ての冷媒について同じ動作条件、全ての冷媒について同じ圧縮機断熱効率及び容積効率。
【０７５４】
【表１】
2020143292.tif 000003
【０７５５】
【表２】
2020143292.tif 000004
【０７５６】
実施例１住宅用空調システム（冷却）
説明：
住宅用空調システムは、夏季に冷気（約１２℃）を建物に供給するために使用される。典型的なシステムの種類は、スプリット型、ミニスプリット型、及びウィンドウ型空調システムである。システムは通常、空気−冷媒蒸発器（室内コイル）、圧縮機、空気−冷媒凝縮器（室外コイル）、及び膨張弁を有する。蒸発器及び凝縮器は通常、丸管プレートフィン又はマイクロチャネル熱交換器である。圧縮機は通常、往復動式又は回転式（ローリングピストン若しくはスクロール式）圧縮機である。膨張弁は通常、温度膨張弁又は電子膨張弁である。冷媒蒸発温度は、約０〜約１０℃の範囲内である一方、凝縮温度は、約４０〜約７０℃の範囲内である。
【０７５７】
動作条件：
１．凝縮温度＝４６℃、対応する室外周囲温度＝３５℃
２．凝縮器過冷却＝５．５℃
３．蒸発温度＝７℃、対応する室内周囲温度＝２６．７℃
４．蒸発器過熱＝５．５℃
５．断熱効率＝７０％
６．容積効率＝１００％
７．吸気ライン中の温度上昇＝５．５℃
【０７５８】
【表３】
2020143292.tif 000005
【０７５９】
→表３は、Ｒ−４１０Ａシステムと比較した住宅用空調システムの熱力学的性能を示す。
→組成物１及び２は、Ｒ−４１０Ａと比較して、９５％以上の能力（±２％の不確実性を考慮）及び一致した効率を示す。これは、システム性能がＲ−４１０Ａと同様であることを示す。
→組成物１及び２は、Ｒ−４１０Ａと比較して、９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃以内の吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０７６０】
実施例２，住宅用ヒートポンプシステム（加熱）
説明：
住宅用ヒートポンプシステムは、冬季に温風（約２１℃）を建物に供給するために使用される。これは通常、住宅用空調システムと同じシステムであるが、システムがヒートポンプモードにあるときには冷媒流が反転し、室内コイルが凝縮器となり、室外コイルが蒸発器となる。典型的なシステムの種類は、スプリット型及びミニスプリット型ヒートポンプシステムである。蒸発器及び凝縮器は通常、丸管プレートフィン又はマイクロチャネル熱交換器である。圧縮機は通常、往復動式又は回転式（ローリングピストン若しくはスクロール式）圧縮機である。膨張弁は通常、温度膨張弁又は電子膨張弁である。冷媒蒸発温度は、約−２０〜約３°Ｃの範囲内である一方、凝縮温度は、約３５〜約５０℃の範囲内である。
【０７６１】
動作条件：
１．凝縮温度＝４１℃、対応する室内周囲温度＝２１．１℃
２．凝縮器過冷却＝５．５℃
３．蒸発温度＝０．５℃、対応する室外周囲温度＝８．３℃
４．蒸発器過熱＝５．５℃
５．断熱効率＝７０％
６．容積効率＝１００％
７．吸気ライン中の温度上昇＝５．５℃
【０７６２】
【表４】
2020143292.tif 000006
【０７６３】
→表４は、Ｒ−４１０Ａシステムと比較した住宅用ヒートポンプシステムの熱力学的性能を示す。
→組成物１及び２は、Ｒ−４１０Ａと比較して、９５％の能力（±２％の不確実性を考慮）及び一致した効率を示す。これは、システム性能がＲ−４１０Ａと同様であることを示す。
→組成物１及び２は、Ｒ−４１０Ａと比較して、９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃以内の吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０７６４】
実施例３．商用空調システム−冷却器
説明：
商用空調システム（冷却器）は、オフィス、病院などの大きな建物に冷水（約７℃）を供給するために使用される。用途に応じて、冷却器システムは、通年稼働している場合がある。冷却器システムは、空冷式又は水冷式であり得る。空冷式冷却器は通常、冷水を供給するためのプレート又はシェルインチューブ式蒸発器、往復動式又はスクロール式圧縮機、熱を周囲空気と交換するための丸管プレートフィン又はマイクロチャネル凝縮器、及び温度膨張弁又は電子膨張弁を有する。水冷式システムは通常、冷水を供給するためのシェルアンドチューブ式蒸発器、往復動式又はスクロール式圧縮機、熱を冷却塔又は湖、海、及び他の天然源からの水と交換するためのシェルアンドチューブ式凝縮器、並びに温度膨張弁又は電子膨張弁を有する。冷媒蒸発温度は、約０〜約１０℃の範囲内である一方、凝縮温度は、約４０〜約７０℃の範囲内である。
【０７６５】
動作条件：
１．凝縮温度＝４６℃、対応する室外周囲温度＝３５℃
２．凝縮器過冷却＝５．５℃
３．蒸発温度＝４．５℃、対応する冷却退出水温度＝７℃
４．蒸発器過熱＝５．５℃
５．断熱効率＝７０％
６．容積効率＝１００％
７．吸気ライン中の温度上昇＝２℃
【０７６６】
【表５】
2020143292.tif 000007
【０７６７】
→表５は、Ｒ−４１０Ａシステムと比較した商用空冷式冷却器システムの熱力学的性能を示す。
→組成物１及び２は、Ｒ−４１０Ａと比較して、９５％以上の能力（±２％の不確実性を考慮）及び一致した効率を示す。これは、システム性能がＲ−４１０Ａと同様であることを示す。
→組成物１及び２は、Ｒ−４１０Ａと比較して、９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃以内の吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０７６８】
実施例４．住宅用空気−水ヒートポンプ温水システム
説明：
住宅用空気−水ヒートポンプシステムは、冬季に床暖房又は同様の用途のために温水（約５０℃）を建物に供給するために使用される。温水システムは通常、熱を周囲空気と交換するための丸管プレートフィン又はマイクロチャネル蒸発器、往復動式又は回転式圧縮機、水を加熱するためのプレート凝縮器、及び温度膨張弁又は電子膨張弁を有する。冷媒蒸発温度は、約−２０〜約３℃の範囲内である一方、凝縮温度は、約５０〜約９０℃の範囲内である。
【０７６９】
動作条件：
１．凝縮温度＝６０℃、対応する室内退出水温度＝５０℃
２．凝縮器過冷却＝５．５℃
３．蒸発温度＝０．５℃、対応する室外周囲温度＝８．３℃
４．蒸発器過熱＝５．５℃
５．断熱効率＝７０％
６．容積効率＝１００％
７．吸気ライン中の温度上昇＝２℃
【０７７０】
【表６】
2020143292.tif 000008
【０７７１】
→表６は、Ｒ−４１０Ａシステムと比較した住宅用空気−水ヒートポンプ温水システムの熱力学的性能を示す。
→組成物１及び２は、Ｒ４１０Ａと比較して、９５％以上の能力及び一致した効率を示す。これは、システム性能がＲ−４１０Ａと同様であることを示す。
→組成物１及び２は、Ｒ−４１０Ａと比較して、９８％〜９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃近くの吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０７７２】
実施例５．中温冷凍システム
説明：
中温冷凍システムは、冷蔵庫及びボトルクーラーなどにおいて食べ物又は飲み物を冷やすために使用される。システムは通常、食べ物又は飲み物を冷やすための空気−冷媒蒸発器、往復動式又は回転式圧縮機、熱を周囲空気と交換するための空気−冷媒凝縮器、及び温度膨張弁又は電子膨張弁を有する。冷媒蒸発温度は、約−１２〜約０℃の範囲内である一方、凝縮温度は、約４０〜約７０℃の範囲内である。
【０７７３】
動作条件：
１．凝縮温度＝４５℃、対応する室外周囲温度＝３５℃
２．凝縮器過冷却＝５．５℃
３．蒸発温度＝−８℃、対応する庫内温度＝１．７℃
４．蒸発器過熱＝５．５℃
５．断熱効率＝６５％
６．容積効率＝１００％
７．吸気ライン中の温度上昇＝１０℃
【０７７４】
【表７】
2020143292.tif 000009
【０７７５】
→表７は、Ｒ−４１０Ａシステムと比較した中温冷凍システムの熱力学的性能を示す。
→組成物１及び２は、Ｒ−４１０Ａと比較して、９５％以上の能力及び一致した効率を示す。これは、システム性能がＲ−４１０Ａと同様であることを示す。
→組成物１及び２は、Ｒ−４１０Ａと比較して、９８％〜９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃近くの吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０７７６】
実施例６．低温冷凍システム
説明：
低温冷凍システムは、食べ物を冷凍するために、例えば冷凍庫又はアイスクリーム製造機において使用される。システムは通常、食べ物又は飲み物を冷やすための空気−冷媒蒸発器、往復動式又は回転式圧縮機、熱を周囲空気と交換するための空気−冷媒凝縮器、及び温度膨張弁又は電子膨張弁を有する。冷媒蒸発温度は、約−４０〜約−１２℃の範囲内である一方、凝縮温度は、約４０〜約７０℃の範囲内である。
【０７７７】
動作条件：
１．凝縮温度＝５５℃、対応する室外周囲温度＝３５℃
２．凝縮器過冷却＝５℃
３．蒸発温度＝−２３℃、対応する庫内温度＝１．７℃
４．蒸発器過熱＝５．５℃
５．断熱効率＝６０％
６．容積効率＝１００％
７．吸気ライン中の温度上昇＝１℃
【０７７８】
【表８】
2020143292.tif 000010
【０７７９】
→表８は、Ｒ−４１０Ａシステムと比較した低温冷凍システムの熱力学的性能を示す。
→組成物１及び２は、Ｒ−４１０Ａと比較して、９８％以上の能力及び一致した効率を示す。これは、システム性能がＲ−４１０Ａと同様であることを示す。
→組成物１及び２は、Ｒ−４１０Ａと比較して、９７％〜９８％の圧力比を示す。これは、圧縮機効率がＲ−４１０Ａと同様であることを示し、Ｒ−４１０Ａ圧縮機への変更は必要ない。
→組成物１及び２は、２℃未満の蒸発器勾配を示す。これは、蒸発器勾配がシステム性能に影響を及ぼさないことを示す。
【０７８０】
実施例７−冷媒／潤滑剤用の安定化剤の熱安定性の例
説明：
安定化剤などの添加剤の使用は、冷媒及び潤滑剤の組成物が、それが充填される器具の通常動作を通して事実上変わらないことを確実にする。冷媒及び潤滑剤は典型的には、加速劣化をシミュレーションするために、ＡＳＨＲＡＥ標準９７−「Ｓｅａｌｅｄ  Ｇｌａｓｓ  Ｔｕｂｅ  Ｍｅｔｈｏｄ  ｔｏ  Ｔｅｓｔ  ｔｈｅ  Ｃｈｅｍｉｃａｌ  Ｓｔａｂｉｌｉｔｙ  ｏｆ  Ｍａｔｅｒｉａｌｓ  ｆｏｒ  Ｕｓｅ  ｗｉｔｈｉｎ  Ｒｅｆｒｉｇｅｒａｎｔ  Ｓｙｓｔｅｍｓ」に対して試験される。試験後、ハロゲン化物のレベルを使用して冷媒安定性を判断し、全酸価（ｔｏｔａｌ  ａｃｉｄ  ｎｕｍｂｅｒ、ＴＡＮ）を使用して潤滑剤の安定性を判断する。更に、潤滑剤は無色透明であるべきであり、金属は光沢を有する（変わっていない）べきであり、かつ固体は存在しないべきである。
【０７８１】
冷媒／潤滑剤組成物への安定化剤の添加の効果を示すために、以下の実験を行った。
【０７８２】
封管試験条件：
１．封管は、５０重量％の冷媒及び５０重量％の潤滑剤を含有する
２．冷媒は、以下の表９に記載される通りである
３．潤滑剤は、ＩＳＯ  ６８  ＰＯＥである
４．冷媒及び潤滑剤は脱気されている
５．冷媒は、＜１０ｐｐｍの水分を含有する
６．潤滑剤は、＜３０ｐｐｍの水分を含有する
７．封管は、鋼鉄、銅、及びアルミニウムのクーポンを含有する
８．封管を１７５℃のオーブンに１４日間置く
【０７８３】
【表９】
2020143292.tif 000011
【０７８４】
【表１０】
2020143292.tif 000012
【０７８５】
【表１１】
2020143292.tif 000013
【０７８６】
・封管試験を１７５℃で１４日間行った。
・安定化剤が存在しない場合には熱安定性条件は満たされなかった。
・各０．７５重量％又は２重量％のファルネセン及びジフェニルホスファイトでは、全ての試験条件が満たされた。冷媒、潤滑剤、及び安定化剤の組み合わせは、Ｒ−４１０Ａなどの他の商用冷媒と同様の熱安定性を有する。
【０７８７】
【表１２】
2020143292.tif 000014
【０７８８】
【表１３】
2020143292.tif 000015
【０７８９】
実施例８．住宅用空調システム（冷却）
説明：
住宅用空調システムは、夏季に冷気（約１２℃）を建物に供給するために使用される。典型的なシステムの種類は、ダクトスプリット型、ダクトレススプリット型、ウィンドウ型、及びポータブル型空調システムである。システムは通常、空気−冷媒蒸発器（室内コイル）、圧縮機、空気−冷媒凝縮器（室外コイル）、及び膨張デバイスを有する。蒸発器及び凝縮器は通常、フィンチューブ式又はマイクロチャネル熱交換器である。圧縮機は通常、往復動式、回転式（ローリングピストン若しくは回転弁）、又はスクロール式圧縮機である。膨張デバイスは通常、キャピラリーチューブ、温度膨張弁、又は電子膨張弁である。冷媒蒸発温度は、約０〜約１０℃の範囲内である一方、凝縮温度は、約４０〜約７０℃の範囲内である。
【０７９０】
動作条件：
８．凝縮温度＝４６℃、対応する室外周囲温度＝３５℃
９．凝縮器過冷却＝５．５℃
１０．蒸発温度＝７℃、対応する室内周囲温度＝２６．７℃
１１．蒸発器過熱＝５．５℃
１２．断熱効率＝７０％
１３．容積効率＝１００％
１４．吸気ライン中の温度上昇＝５．５℃
【０７９１】
【表１４】
2020143292.tif 000016
【０７９２】
→表１４は、Ｒ−４１０Ａシステムと比較した住宅用空調システムの熱力学的性能を示す。
→組成物１及び２は、Ｒ−４１０Ａと比較して、９５％以上の能力（±２％の不確実性を考慮）及び一致した効率を示す。これは、システム性能がＲ−４１０Ａと同様であることを示す。
→組成物１及び２は、Ｒ−４１０Ａと比較して、９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃以内の吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０７９３】
実施例９．住宅用ヒートポンプシステム（加熱）
説明：
住宅用ヒートポンプシステムは、冬季に温風（約２１℃）を建物に供給するために使用される。これは通常、住宅用空調システムと同じシステムであるが、システムがヒートポンプモードにあるときには冷媒流が反転し、室内コイルが凝縮器となり、室外コイルが蒸発器となる。典型的なシステムの種類は、ダクトスプリット型及びダクトレススプリット型ヒートポンプシステムである。蒸発器及び凝縮器は通常、フィンチューブ式又はマイクロチャネル熱交換器である。圧縮機は通常、往復動式、又は回転式（ローリングピストン又は回転弁）、又はスクロール式圧縮機である。膨張デバイスは通常、キャピラリーチューブ、温度膨張弁、又は電子膨張弁である。冷媒蒸発温度は、約−３０〜約５℃の範囲内である一方、凝縮温度は、約３５〜約５０℃の範囲内である。
【０７９４】
動作条件：
８．凝縮温度＝４１℃、対応する室内周囲温度＝２１．１℃
９．凝縮器過冷却＝５．５℃
１０．蒸発温度＝０．５℃、対応する室外周囲温度＝８．３℃
１１．蒸発器過熱＝５．５℃
１２．断熱効率＝７０％
１３．容積効率＝１００％
１４．吸気ライン中の温度上昇＝５．５℃
【０７９５】
【表１５】
2020143292.tif 000017
【０７９６】
→表１５は、Ｒ−４１０Ａシステムと比較した住宅用ヒートポンプシステムの熱力学的性能を示す。
→組成物１及び２は、Ｒ−４１０Ａと比較して、９５％の能力（±２％の不確実性を考慮）及び一致した効率を示す。これは、システム性能がＲ−４１０Ａと同様であることを示す。
→組成物１及び２は、Ｒ−４１０Ａと比較して、９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃以内の吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０７９７】
実施例１０．商用空調システム−冷却器
説明：
商用空調システム（冷却器）は、オフィス、病院などの大きな建物に冷水（約７℃）を供給するために使用される。用途に応じて、冷却器システムは、通年稼働している場合がある。冷却器システムは、空冷式又は水冷式であり得る。空冷式冷却器は通常、冷水を供給するためのプレート、チューブインチューブ式、又はシェルインチューブ式蒸発器、往復動式又はスクロール式圧縮機、熱を周囲空気と交換するための丸管プレートフィン又はマイクロチャネル凝縮器、及び温度膨張弁又は電子膨張弁を有する。水冷式システムは通常、冷水を供給するためのシェルアンドチューブ式蒸発器、往復動式又はスクロール式圧縮機、熱を冷却塔又は湖、海、及び他の天然源からの水と交換するためのシェルアンドチューブ式凝縮器、並びに温度膨張弁又は電子膨張弁を有する。冷媒蒸発温度は、約０〜約１０℃の範囲内である一方、凝縮温度は、約４０〜約７０℃の範囲内である。
【０７９８】
動作条件：
８．凝縮温度＝４６℃、対応する室外周囲温度＝３５℃
９．凝縮器過冷却＝５．５℃
１０．蒸発温度＝４．５℃、対応する冷却退出水温度＝７℃
１１．蒸発器過熱＝５．５℃
１２．断熱効率＝７０％
１３．容積効率＝１００％
１４．吸気ライン中の温度上昇＝２℃
【０７９９】
【表１６】
2020143292.tif 000018
【０８００】
→表１６は、Ｒ−４１０Ａシステムと比較した商用空冷式冷却器システムの熱力学的性能を示す。
→組成物１及び２は、Ｒ−４１０Ａと比較して、９５％以上の能力（±２％の不確実性を考慮）及び一致した効率を示す。これは、システム性能がＲ−４１０Ａと同様であることを示す。
→組成物１及び２は、Ｒ−４１０Ａと比較して、９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃以内の吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０８０１】
実施例１１．住宅用空気−水ヒートポンプ温水システム
説明：
住宅用空気−水ヒートポンプシステムは、冬季に床暖房又は同様の用途のために温水（約５５°Ｃ）を建物に供給するために使用される。温水システムは通常、熱を周囲空気と交換するためのフィンチューブ式又はマイクロチャネル蒸発器、往復動式、回転式、又はスクロール式圧縮機、水を加熱するためのプレート、チューブインチューブ式、又はシェルアンドチューブ式凝縮器、及び温度膨張弁又は電子膨張弁を有する。冷媒蒸発温度は、約−３０〜約５℃の範囲内である一方、凝縮温度は、約５０〜約９０℃の範囲内である。
【０８０２】
動作条件：
８．凝縮温度＝６０℃、対応する室内退出水温度＝５０℃
９．凝縮器過冷却＝５．５℃
１０．蒸発温度＝０．５℃、対応する室外周囲温度＝８．３℃
１１．蒸発器過熱＝５．５℃
１２．断熱効率＝７０％
１３．容積効率＝１００％
１４．吸気ライン中の温度上昇＝２℃
【０８０３】
【表１７】
2020143292.tif 000019
【０８０４】
→表１７は、Ｒ−４１０Ａシステムと比較した住宅用空気−水ヒートポンプ温水システムの熱力学的性能を示す。
→組成物１及び２は、Ｒ−４１０Ａと比較して、９５％以上の能力及び一致した効率を示す。これは、システム性能がＲ−４１０Ａと同様であることを示す。
→組成物１及び２は、Ｒ−４１０Ａと比較して、９８％〜９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃近くの吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０８０５】
実施例１２．中温冷凍システム
説明：
中温冷凍システムは、冷蔵庫及びボトルクーラーなどにおいて食べ物又は飲み物を冷やすために使用される。システムは通常、食べ物又は飲み物を冷やすための空気−冷媒蒸発器、往復動式、スクロール式、又はねじ式圧縮機、熱を周囲空気と交換するための空気−冷媒凝縮器、及び温度膨張弁又は電子膨張弁を有する。冷媒蒸発温度は、約−１２〜約０℃の範囲内である一方、凝縮温度は、約２０〜約７０℃の範囲内である。
【０８０６】
動作条件：
８．凝縮温度＝４５℃、対応する室外周囲温度＝３５℃
９．凝縮器過冷却＝５．５℃
１０．蒸発温度＝−８℃、対応する庫内温度＝１．７℃
１１．蒸発器過熱＝５．５℃
１２．断熱効率＝６５％
１３．容積効率＝１００％
１４．吸気ライン中の温度上昇＝１０℃
【０８０７】
【表１８】
2020143292.tif 000020
【０８０８】
→表１８は、Ｒ−４１０Ａシステムと比較した中温冷凍システムの熱力学的性能を示す。
→組成物１及び２は、Ｒ−４１０Ａと比較して、９５％以上の能力及び一致した効率を示す。これは、システム性能がＲ−４１０Ａと同様であることを示す。
→組成物１及び２は、Ｒ−４１０Ａと比較して、９８％〜９９％の圧力比を示す。これは、圧縮機効率がＲ−４１０Ａと同様であることを示し、Ｒ−４１０Ａ圧縮機への変更は必要ない。
→組成物１及び２は、Ｒ−４１０Ａと比較して、１０℃近くの吐出温度上昇を示す。これは、良好な圧縮機の信頼性を示し、オイルブレークダウン又はモータバーンアウトの危険性はない。
→組成物１及び２は、２℃未満の蒸発器勾配を示す。これは、蒸発器勾配がシステム性能に影響を及ぼさないことを示す。
【０８０９】
実施例１３．低温冷凍システム
説明：
低温冷凍システムは、食べ物を冷凍するために、例えば冷凍庫又はアイスクリーム製造機において使用される。システムは通常、空気−冷媒蒸発器、往復動式、スクロール式、又はねじ式圧縮機、熱を周囲空気と交換するための空気−冷媒凝縮器、及び温度膨張弁又は電子膨張弁を有する。冷媒蒸発温度は、約−４０〜約−１２℃の範囲内である一方、凝縮温度は、約２０〜約７０℃の範囲内である。
【０８１０】
動作条件：
８．凝縮温度＝５５℃、対応する室外周囲温度＝３５℃
９．凝縮器過冷却＝５℃
１０．蒸発温度＝−２３℃、対応する庫内温度＝１．７℃
１１．蒸発器過熱＝５．５℃
１２．断熱効率＝６０％
１３．容積効率＝１００％
１４．吸気ライン中の温度上昇＝１℃
【０８１１】
【表１９】
2020143292.tif 000021
【０８１２】
→表１９は、Ｒ−４１０Ａシステムと比較した低温冷凍システムの熱力学的性能を示す。
→組成物１及び２は、Ｒ−４１０Ａと比較して、９８％以上の能力及び一致した効率を示す。これは、システム性能がＲ−４１０Ａと同様であることを示す。
→組成物１及び２は、Ｒ−４１０Ａと比較して、９７％〜９８％の圧力比を示す。これは、圧縮機効率がＲ−４１０Ａと同様であることを示し、Ｒ−４１０Ａ圧縮機への変更は必要ない。
→組成物１及び２は、２℃未満の蒸発器勾配を示す。これは、蒸発器勾配がシステム性能に影響を及ぼさないことを示す。
【０８１３】
実施例７−冷媒／潤滑剤用の安定化剤の熱安定性の例
説明：
安定化剤などの添加剤の使用は、冷媒及び潤滑剤の組成物が、それが充填される器具の通常動作を通して事実上変わらないことを確実にする。冷媒及び潤滑剤は典型的には、加速劣化をシミュレーションするために、ＡＳＨＲＡＥ標準９７−「Ｓｅａｌｅｄ  Ｇｌａｓｓ  Ｔｕｂｅ  Ｍｅｔｈｏｄ  ｔｏ  Ｔｅｓｔ  ｔｈｅ  Ｃｈｅｍｉｃａｌ  Ｓｔａｂｉｌｉｔｙ  ｏｆ  Ｍａｔｅｒｉａｌｓ  ｆｏｒ  Ｕｓｅ  ｗｉｔｈｉｎ  Ｒｅｆｒｉｇｅｒａｎｔ  Ｓｙｓｔｅｍｓ」に対して試験される。試験後、ハロゲン化物のレベルを使用して冷媒安定性を判断し、全酸価（ｔｏｔａｌ  ａｃｉｄ  ｎｕｍｂｅｒ、ＴＡＮ）を使用して潤滑剤の安定性を判断する。更に、潤滑剤は無色透明であるべきであり、金属は光沢を有する（変わっていない）べきであり、かつ固体は存在しないべきである。
【０８１４】
冷媒／潤滑剤組成物への安定化剤の添加の効果を示すために、以下の実験を行った。
【０８１５】
封管試験条件：
１．封管は、５０重量％の冷媒及び５０重量％の潤滑剤を含有する
２．冷媒は、以下の表９に記載される通りである
３．潤滑剤は、ＩＳＯ  ６８  ＰＯＥである
４．冷媒及び潤滑剤は脱気されている
５．冷媒は、＜１０ｐｐｍの水分を含有する
６．潤滑剤は、＜３０ｐｐｍの水分を含有する
７．封管は、鋼鉄、銅、及びアルミニウムのクーポンを含有する
８．封管を１７５℃のオーブンに１４日間置く
【０８１６】
【表２０】
2020143292.tif 000022
【０８１７】
【表２１】
2020143292.tif 000023
【０８１８】
【表２２】
2020143292.tif 000024
【０８１９】
・封管試験を１７５℃で１４日間行った。
・安定化剤が存在しない場合には熱安定性条件は満たされなかった。
・各２重量％のファルネセン及びジフェニルホスファイトでは、全ての試験条件が満たされた。冷媒、潤滑剤、及び安定化剤の組み合わせは、Ｒ−４１０Ａなどの他の商用冷媒と同様の熱安定性を有する。
【０８２０】
実施例１５−ＰＯＥ油との混和性
ＰＯＥ油は、空調及び冷凍システムにおいて広く使用されている。
【０８２１】
以下の表２３に記載され、図１に例証されるように、Ｒ−４１０Ａは、−２２℃未満でＰＯＥ油と非混和性である。したがって、ＰＯＥ油が蒸発器内に留まり、堆積することになるため、Ｒ−４１０Ａを低温冷凍用途に使用することはできない。
【０８２２】
更に、Ｒ−４１０Ａは、５０℃超でＰＯＥ油と非混和性であり、これは、高い周囲条件でＲ−４１０Ａを使用する場合に凝縮器及び送液ラインにおいて問題を引き起こす（例えば、分離したＰＯＥ油が閉じ込められて堆積する）ことになる。
【０８２３】
逆に、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなる、本発明による冷媒は、以下の表２３に記載されるように、−４０℃〜８０℃の温度範囲にわたってＰＯＥ油と完全に混和する。
【０８２４】
【表２３】
2020143292.tif 000025
【０８２５】
本発明は好ましい実施形態を参照して記載されているが、本発明の範囲を逸脱することなく、様々な変更を行うことができ、その要素に相当する等価物に置換することができることが当業者によって理解されよう。更に、特定の状況又は材料に適合させために、本発明の必須の範囲から出発して、本発明の教示に対する多くの修正を行うことができる。したがって、本発明は、開示される特定の実施形態に限定されるのではなく、本発明は、添付の特許請求の範囲又は後に追加される任意の特許請求の範囲に含まれる全ての実施形態を含むことが意図される。
【図１】
2020143292.tif 000026
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
少なくとも約９７重量％の３種の化合物のブレンドを含む冷媒であって、前記ブレンドが、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなり、
前記パーセンテージが、前記ブレンド中の前記３種の化合物の総重量に基づく、冷媒。
【手続補正２】
【補正対象書類名】明細書
【補正対象項目名】０８２５
【補正方法】変更
【補正の内容】
【０８２５】
本発明は好ましい実施形態を参照して記載されているが、本発明の範囲を逸脱することなく、様々な変更を行うことができ、その要素に相当する等価物に置換することができることが当業者によって理解されよう。更に、特定の状況又は材料に適合させために、本発明の必須の範囲から出発して、本発明の教示に対する多くの修正を行うことができる。したがって、本発明は、開示される特定の実施形態に限定されるのではなく、本発明は、添付の特許請求の範囲又は後に追加される任意の特許請求の範囲に含まれる全ての実施形態を含むことが意図される。
本明細書は以下の発明の態様を包含する。
［１］
少なくとも約９７重量％の３種の化合物のブレンドを含む冷媒であって、前記ブレンドが、
４２重量％〜４８重量％のジフルオロメタン（ＨＦＣ−３２）、
６．５重量％〜１２．５重量％のペンタフルオロエタン（ＨＦＣ−１２５）、及び
３９．５重量％〜４５．５重量％のトリフルオロヨードメタン（ＣＦ３Ｉ）からなり、
前記パーセンテージが、前記ブレンド中の前記３種の化合物の総重量に基づく、冷媒。
［２］
前記ブレンドが、
約４３．５重量％〜約４８重量％のジフルオロメタン（ＨＦＣ−３２）、
約１０重量％〜約１２．５重量％のペンタフルオロエタン（ＨＦＣ−１２５）、及び
約４０重量％〜約４４重量％のトリフルオロヨードメタン（ＣＦ３Ｉ）からなり、
前記パーセンテージが、前記ブレンド中の前記３種の化合物の総重量に基づく、［１］に記載の冷媒。
［３］
前記ブレンドが、
約４６重量％のジフルオロメタン（ＨＦＣ−３２）、
約１２重量％のペンタフルオロエタン（ＨＦＣ−１２５）、及び
約４２重量％のトリフルオロヨードメタン（ＣＦ３Ｉ）からなり、
前記パーセンテージが、前記ブレンド中の前記３種の化合物の総重量に基づく、［１］又は［２］に記載の冷媒。
［４］
少なくとも約９７重量％の３種の化合物のブレンドを含む冷媒であって、前記ブレンドが、
４３重量％〜５１重量％のジフルオロメタン（ＨＦＣ−３２）、
３．５重量％〜１１．５重量％のペンタフルオロエタン（ＨＦＣ−１２５）、及び
３７．５重量％〜４５．５重量％のトリフルオロヨードメタン（ＣＦ３Ｉ）からなり、
前記パーセンテージが、前記ブレンド中の前記３種の化合物の総重量に基づく、冷媒。
［５］
前記ブレンドが、
約４８重量％〜約５１重量％のジフルオロメタン（ＨＦＣ−３２）、
約９．５重量％〜約１１．５重量％のペンタフルオロエタン（ＨＦＣ−１２５）、及び
約３６．５重量％〜約４０．５重量％のトリフルオロヨードメタン（ＣＦ３Ｉ）からなり、
前記パーセンテージが、前記ブレンド中の前記３種の化合物の総重量に基づく、［４］に記載の冷媒。
［６］
前記ブレンドが、
約５０重量％のジフルオロメタン（ＨＦＣ−３２）、
約１１．５重量％のペンタフルオロエタン（ＨＦＣ−１２５）、及び
約３８．５重量％のトリフルオロヨードメタン（ＣＦ３Ｉ）からなり、
前記パーセンテージが、前記ブレンド中の前記３種の化合物の総重量に基づく、［４］又は［５］に記載の冷媒。
［７］
前記冷媒が、少なくとも約９８．５重量％の前記ブレンドを含む、［１］〜［６］のいずれか一項に記載の冷媒。
［８］
前記冷媒が、少なくとも約９９．５重量％の前記ブレンドを含む、［１］〜［６］のいずれか一項に記載の冷媒。
［９］
前記冷媒が、前記ブレンドから本質的になる、［１］〜［６］のいずれか一項に記載の冷媒。
［１０］
前記冷媒が、前記ブレンドからなる、［１］〜［６］のいずれか一項に記載の冷媒。
［１１］
［１］〜［１０］のいずれか一項に記載の冷媒を含む、熱伝達組成物。
［１２］
前記冷媒が、前記熱伝達組成物の４０重量％超を構成する、［１１］に記載の熱伝達組成物。
［１３］
ジエン系化合物、又はジエン系化合物及びリン化合物、並びに／又は窒素化合物、並びに／又フェノール化合物から選択される安定化剤を更に含む、［１１］又は［１２］に記載の熱伝達組成物。
［１４］
前記ジエン系化合物が、テレベン、レチナール、ゲラニオール、テルピネン、デルタ−３カレン、テルピノレン、フェランドレン、フェンケン、ミルセン、ファルネセン、ピネン、ネロール、シトラル、カンフル、メントール、リモネン、ネロリドール、フィトール、カルノシン酸、及びビタミンＡ１からなる群から選択されるテルペン、好ましくは、ファルネセンである、［１３］に記載の熱伝達組成物。
［１５］
前記ジエン系化合物が、約〜約０．００１重量％〜約５重量％、好ましくは約０．０１重量％〜約２重量％、より好ましくは約０．１〜１重量％の量で前記熱伝達組成物中に提供される、［１３］又は［１４］に記載の熱伝達組成物。
［１６］
前記安定化剤組成物が、［１４］又は［１５］に記載のジエン系、及びリン化合物を含み、前記リン化合物が、ジアリールホスファイト、ジアルキルホスファイト、トリアリールホスファイト、及び／若しくはトリアルキルホスファイトから選択される亜リン酸化合物、特に、ヒンダードホスファイト、トリス−（ジ−ｔｅｒｔ−ブチルフェニル）ホスファイト、ジ−ｎ−オクチルホスファイト、イソ−デシルジフェニルホスファイト、及びジフェニルホスファイトから選択される１種以上の化合物、特にジフェニルホスファイト、並びに／又はトリアリールホスフェート、トリアルキルホスフェート、アルキルモノ酸ホスフェート、アリール二酸ホスフェート、アミンホスフェートから選択されるリン酸化合物、好ましくはトリアリールホスフェート及び／若しくはトリアルキルホスフェート、特にトリ−ｎ−ブチルホスフェートである、［１３］に記載の熱伝達組成物。
［１７］
前記リン化合物が、ヒンダードホスファイト、トリス−（ジ−ｔｅｒｔ−ブチルフェニル）ホスファイト、ジ−ｎ−オクチルホスファイト、イソ−デシルジフェニルホスファイト、及びジフェニルホスファイトからなる群から選択される亜リン酸化合物である、［１６］に記載の熱伝達組成物。
［１８］
前記リン化合物が、約０．００１重量％〜約５重量％、好ましくは約０．００１重量％〜約２重量％、より好ましくは約０．１〜１重量％の量で前記熱伝達組成物中に存在する、［１３］〜［１７］のいずれか一項に記載の熱伝達組成物。
［１９］
前記安定化剤組成物が、ファルネセン及びジフェニルホスファイトを含む、［１３］〜［１８］のいずれか一項に記載の熱伝達組成物。
［２０］
前記窒素化合物が、ジニトロベンゼン、ニトロベンゼン、ニトロメタン、ニトロソベンゼン、及びＴＥＭＰＯ［（２，２，６，６−テトラメチルピペリジン−１−イル）オキシル］から選択される１種以上の化合物、好ましくはジニトロベンゼンである、［１３］〜［１９］のいずれか一項に記載の熱伝達組成物。
［２１］
前記窒素化合物が、ジニトロベンゼン、ニトロベンゼン、ニトロメタン、ニトロソベンゼン、及びＴＥＭＰＯ［（２，２，６，６−テトラメチルピペリジン−１−イル）オキシル］；ジフェニルアミン、ｐ−フェニレンジアミン、トリエチルアミン、トリブチルアミン、ジイソプロピルアミン、トリイソプロピルアミン、及びトリイソブチルアミンから選択される二級又は三級アミン；アミン抗酸化剤、例えば、置換ピペリジン化合物、すなわち、２，２，６，６−テトラメチル−４−ピペリドン、２，２，６，６−テトラメチル−４−ピペリジノールから選択される、アルキル置換ピペリジル、ピペリジニル、ピペラジノン、又はアルキオキシピペリジニルの誘導体；ビス−（１，２，２，６，６−ペンタメチルピペリジル）セバケート；ジ（２，２，６，６−テトラメチル−４−ピペリジル）セバケート、ポリ（Ｎ−ヒドロキシエチル−２，２，６，６−テトラメチル−４−ヒドロキシ−ピペリジルスクシネート；アルキル化パラフェニレンジアミンン、例えば、Ｎ−フェニル−Ｎ’−（１，３−ジメチル−ブチル）−ｐ−フェニレンジアミン又はＮ，Ｎ’−ジ−ｓｅｃ−ブチル−ｐ−フェニレンジアミン、及びヒドロキシルアミン、例えば、獣脂アミン、メチルビス獣脂アミン、及びビス獣脂アミン、又はフェノール−アルファ−ナフチルアミン、若しくはＴｉｎｕｖｉｎ（登録商標）７６５（Ｃｉｂａ）、ＢＬＳ（登録商標）１９４４（Ｍａｙｚｏ  Ｉｎｃ）、及びＢＬＳ（登録商標）１７７０（Ｍａｙｚｏ  Ｉｎｃ）；アルキルジフェニルアミン、例えば、ビス（ノニルフェニルアミン）、ジアルキルアミン、例えば、（Ｎ−（１−メチルエチル）−２−プロピルアミン、又はフェニル−アルファ−ナフチルアミン（ＰＡＮＡ）、アルキル−フェニル−アルファ−ナフチル−アミン（ＡＰＡＮＡ）、及びビス（ノニルフェニル）アミン、好ましくはフェニル−アルファ−ナフチルアミン（ＰＡＮＡ）から選択される１種以上の化合物である、［１３］〜［１９］のいずれか一項に記載の熱伝達組成物。
［２２］
前記窒素化合物が、約０．００１重量％〜約５重量％、好ましくは約０．０１重量％〜約２重量％、より好ましくは約０．１〜１重量％の量で前記熱伝達組成物中に提供される、［１３］〜［２１］のいずれか一項に記載の熱伝達組成物。
［２３］
前記フェノール化合物が、４，４’−メチレンビス（２，６−ジ−ｔｅｒｔ−ブチルフェノール）；４，４’−ビス（２，６−ジ−ｔｅｒｔ−ブチルフェノール）；４，４’−ビス（２−メチル−６−ｔｅｒｔ−ブチルフェノール）を含む２，２−又は４，４−ビフェニルジオール；２，２−又は４，４−ビフェニルジオールの誘導体；２，２’−メチレンビス（４−エチル−６−ｔｅｒｔブチルフェノール）；２，２’−メチレンビス（４−メチル−６−ｔｅｒｔ−ブチルフェノール）；４，４−ブチリデンビス（３−メチル−６−ｔｅｒｔ−ブチルフェノール）；４，４−イソプロピリデンビス（２，６−ジ−ｔｅｒｔ−ブチルフェノール）；２，２’−メチレンビス（４−メチル−６−ノニルフェノール）；２，２’−イソブチリデンビス（４，６−ジメチルフェノール）；２，２’−メチレンビス（４−メチル−６−シクロヘキシルフェノール）；２，６−ジ−ｔｅｒｔ−ブチル−４−メチルフェノール（ＢＨＴ）；２，６−ジ−ｔｅｒｔ−ブチル−４−エチルフェノール：２，４−ジメチル−６−ｔｅｒｔ−ブチルフェノール；２，６−ジ−ｔｅｒｔ−アルファ−ジメチルアミノ−ｐ−クレゾール；２，６−ジ−ｔｅｒｔ−ブチル−４（Ｎ，Ｎ’−ジメチルアミノメチルフェノール）；４，４’−チオビス（２−メチル−６−ｔｅｒｔ−ブチルフェノール）；４，４’−チオビス（３−メチル−６−ｔｅｒｔ−ブチルフェノール）；２，２’−チオビス（４−メチル−６−ｔｅｒｔ−ブチルフェノール）；ビス（３−メチル−４−ヒドロキシ−５−ｔｅｒｔ−ブチルベンジル）スルフィド；ビス（３，５−ジ−ｔｅｒｔ−ブチル−４−ヒドロキシベンジル）スルフィド、トコフェロール、ヒドロキノン、２，２’６，６’−テトラ−ｔｅｒｔ−ブチル−４，４’−メチレンジフェノール、及びｔ−ブチルヒドロキノンから選択される１種以上の化合物、好ましくはＢＨＴである、［１３］〜［２２］のいずれか一項に記載の熱伝達組成物。
［２４］
［１］〜［１０］のいずれか一項に記載の冷媒と安定化剤組成物とを含む熱伝達組成物であって、前記安定化剤組成物が、前記熱伝達組成物の約０．００１重量％〜約５重量％の量のＢＨＴを含む、熱伝達組成物。
［２５］
［１］〜［１０］のいずれか一項に記載の冷媒と安定化剤組成物とを含む熱伝達組成物であって、前記安定化剤組成物が、約０．００１重量％〜約５重量％の量のＢＨＴからなる、熱伝達組成物。
［２６］
前記フェノール化合物が、約０．００１重量％〜約５重量％、好ましくは約０．０１重量％〜約２重量％、より好ましくは約０．１〜１重量％の量で前記熱伝達組成物中に提供される、［１３］〜［２５］のいずれか一項に記載の熱伝達組成物。
［２７］
［１］〜［１０］のいずれか一項に記載の冷媒と安定化剤組成物とを含む熱伝達組成物であって、前記安定化剤組成物が、ファルネセン、ジフェニルホスファイト、及びＢＨＴを含む、熱伝達組成物。
［２８］
［１］〜［１０］のいずれか一項に記載の冷媒と安定化剤組成物とを含む熱伝達組成物であって、前記安定化剤組成物が、ファルネセン、ジフェニルホスファイト、及びＢＨＴからなる、熱伝達組成物。
［２９］
ポリオールエステル（ＰＯＥ）、ポリアルキレングリコール（ＰＡＧ）、ＰＡＧ油、シリコーン油、鉱物油、アルキルベンゼン（ＡＢ）、ポリビニルエーテル（ＰＶＥ）、及びポリ（アルファ−オレフィン）（ＰＡＯ）からなる群から選択される潤滑剤を更に含む、［１１］〜［２８］のいずれか一項に記載の熱伝達組成物。
［３０］
前記潤滑剤が、ポリオールエステル（ＰＯＥ）、ポリアルキレングリコール（ＰＡＧ）、鉱物油、アルキルベンゼン（ＡＢ）、及びポリビニルエーテル（ＰＶＥ）から選択される、［２９］に記載の熱伝達組成物。
［３１］
前記潤滑剤が、ポリオールエステル（ＰＯＥ）、鉱物油、アルキルベンゼン（ＡＢ）、及びポリビニルエーテル（ＰＶＥ）から選択される、［２９］に記載の熱伝達組成物。
［３２］
前記潤滑剤が、ポリオールエステル（ＰＯＥ）、鉱物油、及びアルキルベンゼン（ＡＢ）から選択される、［２９］に記載の熱伝達組成物。
［３３］
前記潤滑剤が、ポリオールエステル（ＰＯＥ）である、［２９］に記載の熱伝達組成物。
［３４］
前記潤滑剤が、前記熱伝達組成物の重量に基づいて約１０〜約６０重量％の量、好ましくは約３０〜約５０重量％の量で前記熱伝達組成物中に存在する、［２９］〜［３３］のいずれか一項に記載の熱伝達組成物。
［３５］
前記熱伝達組成物が、［１］〜［１０］のいずれか一項に記載の冷媒から本質的になる、［１１］に記載の熱伝達組成物。
［３６］
前記熱伝達組成物が、［１］〜［１０］のいずれか一項に記載の冷媒と、［１３］〜［２８］のいずれか一項に記載の安定化剤と、から本質的になる、［１１］〜［３５］のいずれか一項に記載の熱伝達組成物。
［３７］
前記熱伝達組成物が、［１］〜［１０］のいずれか一項に記載の冷媒と、［１３］〜［２８］のいずれか一項に記載の安定化剤と、［２９］〜［３４］のいずれか一項に記載の潤滑剤と、から本質的になる、［１１］〜［３５］のいずれか一項に記載の熱伝達組成物。
［３８］
７５０以下の地球温暖化係数（ＧＷＰ）を有する、［１１］〜［３７］のいずれか一項に記載の熱伝達組成物。
［３９］
０．０５以下、好ましくは０．０２、より好ましくは約ゼロのオゾン破壊係数（ＯＤＰ）を有する、［１１］〜［３８］のいずれか一項に記載の熱伝達組成物。
［４０］
前記ＰＯＥ潤滑剤が、冷媒及び潤滑剤の総量に対して５重量％の量で存在し、前記混合物が、−４０℃〜８０℃の範囲の少なくとも１つの温度の１つの液体相を有する、［１１］〜［３４］及び［３７］〜［３９］のいずれか一項に記載の熱伝達組成物。
［４１］
前記ＰＯＥ潤滑剤が、冷媒及び潤滑剤の総量に対して２０重量％の量で存在し、前記混合物が、−４０℃〜８０℃の範囲の少なくとも１つの温度の１つの液体相を有する、［１１］〜［３４］及び［３７］〜［３９］のいずれか一項に記載の熱伝達組成物。
［４２］
前記ＰＯＥ潤滑剤が、冷媒及び潤滑剤の総量に対して５０重量％の量で存在し、前記混合物が、−４０℃〜８０℃の範囲の少なくとも１つの温度の１つの液体相を有する、［１１］〜［３４］及び［３７］〜［３９］のいずれか一項に記載の熱伝達組成物。
［４３］
前記ＰＯＥ潤滑剤が、冷媒及び潤滑剤の総量に対して５重量％の量で存在し、前記混合物が、−４０℃〜８０℃の全温度範囲にわたる１つの液体相を有する、［１１］〜［３４］及び［３７］〜［３９］のいずれか一項に記載の熱伝達組成物。
［４４］
前記ＰＯＥ潤滑剤が、冷媒及び潤滑剤の総量に対して２０重量％の量で存在し、前記混合物が、−４０℃〜８０℃の全温度範囲にわたる１つの液体相を有する、［１１］〜［３４］及び［３７］〜［３９］のいずれか一項に記載の熱伝達組成物。
［４５］
前記ＰＯＥ潤滑剤が、冷媒及び潤滑剤の総量に対して５０重量％の量で存在し、前記混合物が、−４０℃〜８０℃の全温度範囲にわたる１つの液体相を有する、［１１］〜［３４］及び［３７］〜［３９］のいずれか一項に記載の熱伝達組成物。
［４６］
前記ＰＯＥ潤滑剤が、冷媒及び潤滑剤の総量に対して５重量％の量で存在し、前記混合物が、−４０℃〜−２５℃及び／又は＋４０℃〜８０℃の範囲の少なくとも１つの温度の１つの液体相を有する、［１１］〜［３４］及び［３７］〜［３９］のいずれか一項に記載の熱伝達組成物。
［４７］
前記ＰＯＥ潤滑剤が、冷媒及び潤滑剤の総量に対して２０重量％の量で存在し、前記混合物が、−４０℃〜−２５℃及び／又は＋４０℃〜８０℃の範囲の少なくとも１つの温度の１つの液体相を有する、［１１］〜［３４］及び［３７］〜［３９］のいずれか一項に記載の熱伝達組成物。
［４８］
前記ＰＯＥ潤滑剤が、冷媒及び潤滑剤の総量に対して５０重量％の量で存在し、前記混合物が、−４０℃〜−２５℃及び／又は＋４０℃〜８０℃の範囲の少なくとも１つの温度の１つの液体相を有する、［１１］〜３４及び３７〜３９のいずれか一項に記載の熱伝達組成物。
［４９］
前記ＰＯＥ潤滑剤が、冷媒及び潤滑剤の総量に対して５重量％の量で存在し、前記混合物が、−４０℃〜−２５℃及び／又は＋４０℃〜８０℃の全温度範囲にわたる１つの液体相を有する、［１１］〜［３４］及び［３７］〜［３９］のいずれか一項に記載の熱伝達組成物。
［５０］
前記ＰＯＥ潤滑剤が、冷媒及び潤滑剤の総量に対して２０重量％の量で存在し、前記混合物が、−４０℃〜−２５℃及び／又は＋４０℃〜８０℃の全温度範囲にわたる１つの液体相を有する、［１１］〜［３４］及び［３７］〜［３９］のいずれか一項に記載の熱伝達組成物。
［５１］
前記ＰＯＥ潤滑剤が、冷媒及び潤滑剤の総量に対して５０重量％の量で存在し、前記混合物が、−４０℃〜−２５℃及び／又は＋４０℃〜８０℃の全温度範囲にわたる１つの液体相を有する、［１１］〜［３４］及び［３７］〜［３９］のいずれか一項に記載の熱伝達組成物。
［５２］
蒸発器、凝縮器、及び圧縮機を備える熱伝達システムにおける冷却方法であって、前記プロセスが、ｉ）［１１］〜［５１］のいずれか一項に記載の熱伝達組成物を凝縮するステップと、ｉｉ）冷却される本体又は物品の付近で前記組成物を蒸発させるステップと、を含み、前記熱伝達システムの前記蒸発器温度は、約−４０℃〜約−１０℃の範囲内である、方法。
［５３］
蒸発器、凝縮器、及び圧縮機を備える熱伝達システムにおける加熱方法であって、前記プロセスが、ｉ）加熱される本体又は物品の付近で、［１１］〜［５１］のいずれか一項に記載の熱伝達組成物を凝縮するステップと、ｉｉ）前記組成物を蒸発させるステップと、を含み、前記熱伝達システムの前記蒸発器温度は、約−３０℃〜約５℃の範囲内である、方法。
［５４］
前記熱伝達システムが、空調システムである、［５２］又は［５３］に記載の方法。
［５５］
前記空調システムが、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流（ＶＲＦ）システム、及び商用の空気熱源、水熱源、又は土壌熱源ヒートポンプシステムである、［５４］に記載の方法。
［５６］
前記空調システムが、住宅用空調システム（冷却のために約０〜約１０℃、特に約７℃、及び／又は加熱のために約−３０〜約５℃、特に約０．５℃の範囲の蒸発器温度を有する）、特に、往復動式、回転式（ローリングピストン若しくは回転弁）、又はスクロール式圧縮機を有する住宅用空調システムである、［５４］に記載の方法。
［５７］
前記空調システムが、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器である、［５４］に記載の方法。
［５８］
前記空調システムが、住宅用空気−水ヒートポンプ温水システム（約−２０〜約３℃の範囲、特に約０．５℃の蒸発器温度を有する）である、［５４］に記載の方法。
［５９］
前記空調システムが、住宅用空気−水ヒートポンプ温水システム（約−３０〜約５℃の範囲、特に約０．５℃の蒸発器温度を有する）である、［５４］に記載の方法。
［６０］
前記空調システムが、中温冷凍システム（約−１２〜約０℃の範囲、特に約−８℃の蒸発器温度を有する）である、［５４］に記載の方法。
［６１］
前記空調システムが、低温冷凍システム（約−４０〜約−１２℃の範囲、特に約−２３℃、又は好ましくは約−３２℃の蒸発器温度を有する）である、［５４］に記載の方法。
［６２］
前記空調システムが、住宅用空調システム（約０〜１０℃の範囲の蒸発器温度を有する）である、［５４］に記載の方法。
［６３］
前記空調システムが、住宅用ヒートポンプシステム（約−２０〜約３℃又は約−３０〜約５℃の範囲の蒸発器温度を有するである、［５４］に記載の方法。
［６４］
前記空調システムが、商用空調システム（約０〜約１０℃の範囲の蒸発器温度を有する）である、［５４］に記載の方法。
［６５］
熱伝達システム中に収容された既存の冷媒を交換する方法であって、前記既存の冷媒の少なくとも一部を前記システムから取り出すことであって、前記既存の冷媒がＲ−４１０Ａである、取り出すことと、［１］〜［８］のいずれか一項に記載の冷媒又は［１１］〜［５１］のいずれか一項に記載の熱伝達組成物を前記システム内に導入することによって、前記既存の冷媒の少なくとも一部を置き換えることと、を含む、方法。
［６６］
前記熱伝達システムが、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流システム、及び商用の空気熱源、水熱源、又は土壌熱源ヒートポンプシステムからなる群から選択される空調システムである、［６５］に記載の方法。
［６７］
熱伝達システムであって、流体連通した圧縮機、凝縮器、及び蒸発器と、［１１］〜［５１］のいずれか一項に記載の熱伝達組成物とを前記システム中に含み、前記凝縮器が、約＋２０℃〜約＋７０℃の動作温度を有し、前記蒸発器が、約−４０℃〜約＋１０℃の動作温度を有する、熱伝達システム。
［６８］
前記熱伝達システムが、空調システム、モバイル空調システム、特に自動車用空調システム、モバイルヒートポンプ、特に電気自動車用ヒートポンプ、冷却器、特に容積型冷却器、とりわけ空冷又は水冷直接膨張式冷却器、住宅用空調システム、特にダクトスプリット型又はダクトレススプリット型空調システム、住宅用ヒートポンプ、住宅用空気−水ヒートポンプ／温水システム産業用空調システム、商用空調システム、特にパッケージ式ルーフトップユニット又は可変冷媒流システム、及び商用の空気熱源、水熱源、又は土壌熱源ヒートポンプシステムである、［６７］に記載の熱伝達システム。
［６９］
前記熱伝達システムが、住宅用空調システム（冷却のために約０〜約１０℃の範囲、特に約７℃、及び／又は加熱のために約−３０〜約５℃の範囲、特に約０．５℃の蒸発器温度を有する）である、［６７］又は［６８］に記載の熱伝達システム。
［７０］
前記熱伝達システムが、空冷式冷却器（約０〜約１０℃範囲、特に約４．５℃の蒸発器温度を有する）、特に、容積型圧縮機を有する空冷式冷却器、とりわけ往復動式又はスクロール式圧縮機を有する空冷式冷却器である、［６７］又は［６８］に記載の熱伝達システム。
［７１］
前記熱伝達システムが、住宅用空気−水ヒートポンプ温水システム（約−２０〜約３℃の範囲、特に約０．５℃の蒸発器温度を有する）である、［６７］又は［６８］に記載の熱伝達システム。
［７２］
前記熱伝達システムが、住宅用空気−水ヒートポンプ温水システム（約−３０〜約５℃の範囲、特に約０．５℃の蒸発器温度を有する）である、［６７］又は［６８］に記載の熱伝達システム。
［７３］
前記熱伝達システムが、中温冷凍システム（約−１２〜約０℃の範囲、特に約−８℃の蒸発器温度を有する）である、［６７］又は［６８］に記載の熱伝達システム。
［７４］
前記熱伝達システムが、低温冷凍システム（約−４０〜約−１２℃の範囲、特に約−２３℃、又は好ましくは約−３２℃の蒸発器温度を有する）である、［６７］又は［６８］に記載の熱伝達システム。
［７５］
前記熱伝達システムが、住宅用空調システム（約０〜１０℃の範囲の蒸発器温度を有する）である、［６７］又は［６８］に記載の熱伝達システム。
［７６］
前記熱伝達システムが、住宅用ヒートポンプシステム（約−２０〜約３℃又は約−３０〜約５℃の範囲の蒸発器温度を有するである、［６７］又は［６８］に記載の熱伝達システム。
［７７］
前記熱伝達システムが、商用空調システム（約０〜約１０℃の範囲の蒸発器温度を有する）である、［６７］又は［６８］に記載の熱伝達システム。
［７８］
冷却器における、［１１］〜［５１］のいずれか一項に記載の熱伝達組成物の使用。
［７９］
容積型冷却器における、［１１］〜［５１］のいずれか一項に記載の熱伝達組成物の使用。
［８０］
空冷式冷却器における、［１１］〜［５１］のいずれか一項に記載の熱伝達組成物の使用。
［８１］
水冷直接膨張式冷却器における、［１１］〜［５１］のいずれか一項に記載の熱伝達組成物の使用。
［８２］
定置型冷却器における、［１１］〜［５１］のいずれか一項に記載の熱伝達組成物の使用。
［８３］
住宅用空調における、［１１］〜［５１］のいずれか一項に記載の熱伝達組成物の使用。
［８４］
産業用空調における、［１１］〜［５１］のいずれか一項に記載の熱伝達組成物の使用。
［８５］
商用空調における、［１１］〜［５１］のいずれか一項に記載の熱伝達組成物の使用。
［８６］
商用冷凍における、［１１］〜［５１］のいずれか一項に記載の熱伝達組成物の使用。
［８７］
商用冷蔵庫における、［１１］〜［５１］のいずれか一項に記載の熱伝達組成物の使用。
［８８］
商用冷凍庫における、［１１］〜［５１］のいずれか一項に記載の熱伝達組成物の使用。
［８９］
自動販売機における、［１１］〜［５１］のいずれか一項に記載の熱伝達組成物の使用。
［９０］
前記冷媒が、
（ａ）前記システム中の、及び／又は前記方法において使用されるＲ４１０Ａの効率の約９５％〜約１０５％の効率（ＣＯＰ）を有し、かつ
（ｂ）ＡＳＨＲＡＥ  Ｓｔａｎｄａｒｄ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に、不燃性である、［１］〜［９］のいずれか一項に記載の冷媒。
［９７］
前記冷媒が、
（ａ）前記システム中の、及び／又は前記方法において使用されるＲ４１０Ａの効率の約９５％〜約１０５％の効率（ＣＯＰ）を有し、
（ｂ）前記システム中の、及び／又は前記方法において使用されるＲ４１０Ａの能力の約９５％〜約１０５％の能力を有し、かつ
（ｃ）ＡＳＨＲＡＥ  Ｓｔａｎｄａｒｄ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合に、不燃性である、［９０］に記載の冷媒。
［９２］
前記冷媒が、
（ａ）前記システム中の、及び／又は前記方法において使用されるＲ４１０Ａの効率の約９５％〜約１０５％の効率（ＣＯＰ）を有し、
（ｂ）前記システム中の、及び／又は前記方法において使用されるＲ４１０Ａの能力の約９５％〜約１０５％の能力を有し、かつ
（ｃ）ＡＳＨＲＡＥ  Ｓｔａｎｄａｒｄ３４−２０１３によって要求され、かつＡＳＨＲＡＥ  Ｓｔａｎｄａｒｄ  ３４−２０１３の付録Ｂ１に記載されるように、ＡＳＴＭ  Ｅ６８１−２００９試験手順に従って判定した場合、不燃性であり、
（ｄ）前記システム及び／又は前記方法において、Ｒ−４１０Ａの圧縮機吐出温度よりも１０℃以上高くない圧縮機吐出温度を生成し、かつ
（ｅ）前記システム及び／又は前記方法において、Ｒ−４１０Ａの圧縮機圧力比の約９５％〜約１０５％の圧縮機圧力比を生成する、［９０］又は［９１］に記載の冷媒。
【外国語明細書】
2020143292000001.pdf